(57)【要約】情報完全性を構成および検出するための、および偽の基地局を発見するための方法および装置が開示される。第１の無線通信を認証する方法は、第１のメッセージを第１の無線通信ノードの第１のユニットから第１の無線通信ノードの第２のユニットに伝送することであって、第１のメッセージは、第１のユニットにより構成されたシステムメッセージ内の少なくとも１つの第１の情報ブロックの第１の完全性情報を含む、ことと、第１の無線通信ノードの第１のユニットによって第１の無線通信ノードの第２のユニットから第２のメッセージを受信することであって、第２のメッセージは、第２のユニットにより構成されたシステムメッセージ内の少なくとも１つの第２の情報ブロックの第２の完全性情報を含む、ことと、第３のメッセージを第１の無線通信ノードから無線通信デバイスに伝送することとを含む。
2021535655.tif 000002
【特許請求の範囲】
【請求項１】
第１の無線通信ノードを認証する方法であって、前記方法は、
第１のメッセージを前記第１の無線通信ノードの第１のユニットから前記第１の無線通信ノードの第２のユニットに伝送することであって、前記第１のメッセージは、前記第１のユニットによって構成されたシステムメッセージにおける少なくとも１つの第１の情報ブロックの第１の完全性情報を含む、ことと、
前記第１の無線通信ノードの前記第１のユニットによって、前記第１の無線通信ノードの前記第２のユニットから、第２のメッセージを受信することであって、前記第２のメッセージは、前記第２のユニットによって構成されたシステムメッセージにおける少なくとも１つの第２の情報ブロックの第２の完全性情報を含む、ことと、
前記第１の無線通信ノードから無線通信デバイスに第３のメッセージを伝送することと
を含み、
前記第３のメッセージは、第３の完全性情報を含み、前記第３のメッセージは、第４の完全性情報を決定するために前記無線通信デバイスによって使用されるように構成されている、方法。
【請求項２】
前記第１のメッセージは、Ｆ１接続設定要求メッセージおよび構成更新メッセージのうちの１つを含む、請求項１に記載の方法。
【請求項３】
前記第２のメッセージは、Ｆ１接続設定応答メッセージおよび構成更新確認応答メッセージのうちの１つを含む、請求項１に記載の方法。
【請求項４】
前記少なくとも１つの情報ブロックは、システム情報ブロック（ＳＩＢ）およびマスタ情報ブロック（ＭＩＢ）のうちの１つを含む、請求項１に記載の方法。
【請求項５】
前記第１の完全性情報、前記第２の完全性情報、前記第３の完全性情報、および前記第４の完全性情報の各々は、ハッシュ値およびデジタルシグネチャのうちの少なくとも１つを含む、請求項１に記載の方法。
【請求項６】
前記第１のユニットは、分散ユニット（ＤＵ）であり、前記第２のユニットは、中央ユニット（ＣＵ）である、請求項１に記載の方法。
【請求項７】
前記第３の完全性情報は、少なくとも１つの第３の情報ブロックに対応し、前記第３の情報ブロックは、前記少なくとも１つの第１の情報ブロックと、前記少なくとも１つの第２の情報ブロックとを含む、請求項１に記載の方法。
【請求項８】
前記第３のメッセージは、前記少なくとも１つの第３の情報ブロックのハッシュ関数および指示のうちの少なくとも１つをさらに含む、請求項７に記載の方法。
【請求項９】
前記少なくとも１つの第３の情報ブロックの前記指示は、前記第３のメッセージにおける第４の情報ブロック、および前記少なくとも１つの対応する第３の情報ブロックのうちの１つによって搬送される、請求項８に記載の方法。
【請求項１０】
前記ハッシュ関数は、メッセージダイジェストアルゴリズム、セキュアハッシュアルゴリズム、およびデジタルシグネチャアルゴリズムのうちの１つである、請求項８に記載の方法。
【請求項１１】
前記第３のメッセージは、エアインターフェースを通して伝送される、請求項１に記載の方法。
【請求項１２】
第２の無線通信ノードによって、前記無線通信デバイスから、第４のメッセージを受信することであって、前記第４のメッセージは、前記第４の完全性情報を含む、ことと、
前記第２の無線通信ノードによって、前記第１の無線通信ノードに第５のメッセージを伝送することと、
前記第２の無線通信ノードによって、前記第１の無線通信ノードから、第６のメッセージを受信することであって、前記第６のメッセージは、前記第３の完全性情報を含む、ことと、
前記第２の無線通信ノードによって、前記第３の完全性情報が前記第４の完全性情報に合致するかどうかを決定することと、
前記第３の完全性情報が前記第４の完全性情報に合致しないことを決定することに応答して、前記第１の無線通信ノードのセルＩＤを前記第２の無線通信ノードにおいて記憶することと
をさらに含み、
前記第１の無線通信ノードは、偽物であると決定される、請求項１に記載の方法。
【請求項１３】
前記第５のメッセージは、Ｘ２またはＸｎ接続設定要求、セルリソース協調要求、リソースステータス要求、および構成更新メッセージのうちの１つを含む、請求項１２に記載の方法。
【請求項１４】
前記第６のメッセージは、Ｘ２またはＸｎ接続設定応答メッセージ、セルリソース協調応答メッセージ、リソースステータス応答メッセージ、および構成更新確認応答メッセージのうちの１つを含む、請求項１２に記載の方法。
【請求項１５】
第１の無線通信ノードを認証する方法であって、前記方法は、
前記第１の無線通信ノードから第２の無線通信ノードに第１のメッセージを伝送することであって、前記第１のメッセージは、前記第１の無線通信ノードによって構成されたシステムメッセージにおける少なくとも１つの第１の情報ブロックの第１の完全性情報を含む、ことと、
前記第１の無線通信ノードによって、前記第２の無線通信ノードから、第２のメッセージを受信することであって、前記第２のメッセージは、前記第２の無線通信ノードによって構成されたシステムメッセージにおける少なくとも１つの第２の情報ブロックの第２の完全性情報を含む、ことと、
前記第１の無線通信ノードから無線通信デバイスに第３のメッセージを伝送することと
を含み、
前記第３のメッセージは、第１の完全性情報を含み、前記第３のメッセージは、第３の完全性情報を決定するために前記無線通信デバイスによって使用されるように構成されている、方法。
【請求項１６】
前記第１のメッセージは、Ｘ２またはＸｎ接続設定要求、セルリソース協調要求、リソースステータス要求、および構成更新メッセージのうちの１つを含む、請求項１５に記載の方法。
【請求項１７】
前記第２のメッセージは、Ｘ２またはＸｎ接続設定応答メッセージ、セルリソース協調応答メッセージ、リソースステータス応答メッセージ、および構成更新確認応答メッセージのうちの１つを含む、請求項１５に記載の方法。
【請求項１８】
前記少なくとも１つの第１の情報ブロックおよび前記少なくとも１つの第２の情報ブロックの各々は、システム情報ブロック（ＳＩＢ）およびマスタ情報ブロック（ＭＩＢ）のうちの１つを含む、請求項１５に記載の方法。
【請求項１９】
前記第１の完全性情報、前記第２の完全性情報、および前記第３の完全性情報の各々は、ハッシュ値およびデジタルシグネチャのうちの少なくとも１つを含む、請求項１５に記載の方法。
【請求項２０】
前記第３のメッセージは、前記少なくとも１つの第１の情報ブロックのハッシュ関数および指示のうちの少なくとも１つをさらに含む、請求項１５に記載の方法。
【請求項２１】
前記少なくとも１つの第１の情報ブロックの前記指示は、前記第３のメッセージにおける少なくとも１つの対応する第１の情報ブロック、および第３の情報ブロックのうちの１つによって搬送される、請求項２０に記載の方法。
【請求項２２】
前記ハッシュ関数は、メッセージダイジェストアルゴリズム、セキュアハッシュアルゴリズム、およびデジタルシグネチャアルゴリズムのうちの１つである、請求項２０に記載の方法。
【請求項２３】
前記第３のメッセージは、エアインターフェースを通して伝送される、請求項１５に記載の方法。
【請求項２４】
前記無線通信デバイスによって、前記第１の完全性情報が前記第３の完全性情報に合致するかどうかを決定することと、
前記第１の完全性情報が前記第３の完全性情報に合致しないことを決定することに応答して、前記無線通信デバイスによって、前記第２の無線通信ノードに第４のメッセージを伝送することと
をさらに含む、請求項１５に記載の方法。
【請求項２５】
前記第４のメッセージは、前記第１の無線通信ノードの識別を含み、前記第１の無線通信ノードは、偽物であると決定される、請求項２４に記載の方法。
【請求項２６】
第１の無線通信ノードを認証する方法であって、前記方法は、
前記第１の無線通信ノードの第１のユニットによって、無線通信デバイスから、第１のメッセージを受信することと、
前記第１の無線通信ノードの第２のユニットによって、前記第１の無線通信ノードの前記第１のユニットから、第２のメッセージを受信することであって、前記第２のメッセージは、前記第１のユニットによって構成された少なくとも１つの第１の情報ブロックの第１の完全性情報を含む、ことと、
前記第１の無線通信ノードの前記第２のユニットから前記無線通信デバイスに第３のメッセージを伝送することと
を含み、
前記第３のメッセージは、少なくとも１つの第２の情報ブロックの第２の完全性情報を含み、前記第３のメッセージは、第３の完全性情報を決定するために前記無線通信デバイスによって使用されるように構成されている、方法。
【請求項２７】
前記少なくとも１つの第１の情報ブロックおよび前記少なくとも１つの第２の情報ブロックの各々は、システム情報ブロック（ＳＩＢ）およびマスタ情報ブロック（ＭＩＢ）のうちの１つを含む、請求項２６に記載の方法。
【請求項２８】
前記少なくとも１つの第２の情報ブロックは、前記第１のユニットによって構成された少なくとも１つの第１の情報ブロックと、前記第１の無線通信ノードの前記第２のユニットによって構成された少なくとも１つの第３の情報ブロックとを含む、請求項２６に記載の方法。
【請求項２９】
前記第１の完全性情報、前記第２の完全性情報、および前記第３の完全性情報の各々は、ハッシュ値およびデジタルシグネチャのうちの少なくとも１つを含む、請求項２６に記載の方法。
【請求項３０】
前記第３のメッセージは、前記少なくとも１つの第２の情報ブロックのハッシュ関数および指示のうちの少なくとも１つをさらに含む、請求項２６に記載の方法。
【請求項３１】
前記少なくとも１つの第２の情報ブロックの前記指示は、前記第３のメッセージにおける少なくとも１つの対応する第２の情報ブロック、および第３の情報ブロックのうちの１つによって搬送される、請求項３０に記載の方法。
【請求項３２】
前記ハッシュ関数は、メッセージダイジェストアルゴリズム、セキュアハッシュアルゴリズム、およびデジタルシグネチャアルゴリズムのうちの１つである、請求項３０に記載の方法。
【請求項３３】
前記第３のメッセージは、エアインターフェースを通して伝送される、請求項２６に記載の方法。
【請求項３４】
前記無線通信デバイスによって、前記第２の完全性情報が前記第３の完全性情報に合致するかどうかを決定することと、
前記第２の完全性情報が前記第３の完全性情報に合致しないことを決定することに応答して、前記無線通信デバイスによって、第２の無線通信ノードに第４のメッセージを伝送することと
をさらに含む、請求項２６に記載の方法。
【請求項３５】
前記第４のメッセージは、前記第１の無線通信ノードの識別を含み、前記第１の無線通信ノードは、偽物であると決定される、請求項３４に記載の方法。
【請求項３６】
少なくとも１つのプロセッサと前記プロセッサに結合されたメモリとを備えているコンピューティングデバイスであって、前記少なくとも１つのプロセッサは、請求項１−３５のいずれか１項に記載の方法を行うように構成されている、コンピューティングデバイス。
【請求項３７】
請求項１−３５のいずれか１項に記載の方法を行うためのコンピュータ実行可能命令を記憶している非一過性コンピュータ読み取り可能な媒体。
【発明の詳細な説明】
【技術分野】
【０００１】
本開示は、概して、無線通信に関し、より具体的に、情報完全性を構成および検出すること、およびシステムメッセージにおける完全性情報に従って基地局を認証することを行うための方法および装置に関する。
【背景技術】
【０００２】
時として、擬似基地局（ＰＢＳ）、悪意のある基地局、またはＩＭＳＩ（国際携帯機器加入者識別情報）搾取者と呼ばれる「偽の」基地局は、悪意があり、通常、不正目的のために採用されるセルラー基地局を指す。偽の基地局は、可搬性であり、したがって、高人口集中領域内に容易に展開され得る。それらが、法的基地局と同一ネットワーク周波数範囲で動作し、より強い信号を提供し得るので、無線ユーザ機器ＵＥは、偽の基地局のカバレッジエリアに進入後、偽のネットワークに迅速に参入し得る。残念ながら、無線ＵＥは、通常、現在のプロトコルがＵＥによる基地局の検証を要求しないので、有効基地局と偽の基地局とを区別することができない。偽の基地局への接続を確立後、そのような偽の基地局は、個人情報を近傍のＵＥから盗取することができ、ウイルスへのリンクおよび詐欺メッセージを近傍のＵＥに送信することもできる。したがって、偽の基地局からの攻撃は、無線ＵＥによって直面される重要なセキュリティ課題である。
【発明の概要】
【課題を解決するための手段】
【０００３】
本明細書に開示される例示的実施形態は、従来技術に提示される問題のうちの１つ以上に関連する問題を解決し、添付の図面と関連して検討されるときに以下の詳細な説明を参照することによって容易に明白であろう追加の特徴を提供することを対象とする。種々の実施形態によると、例示的システム、方法、デバイス、およびコンピュータプログラム製品が、本明細書に開示される。しかしながら、これらの実施形態は、限定ではなく、一例として提示されることが理解され、開示される実施形態に対する種々の修正が本発明の範囲内に留まったまま行われることができることが、本開示を熟読する当業者に明白であろう。
【０００４】
現在、偽の局を発見することに向けた標準的プロトコルまたはソリューションは、存在しない。概して、これは、製品の実装に依拠する。例えば、最も一般に使用される方法のうちの１つは、製造業者が、ＵＥを使用して、偽の基地局の特徴を収集し、偽の基地局からの特徴のデータベースを作成し得ることである。このデータベースは、次いで、基地局が偽物であるか、有効基地局であるかを決定するために、現在接続されている基地局からの１つ以上の特性特徴をデータベース内に保存された特徴と比較するために使用され得る。しかしながら、方法は、製造業者が動的であり常に変化する偽の基地局の特性特徴の完全データベースを確立することが困難であるので、受動防御的アプローチである。例えば、ＵＥが新しい特性特徴を伴う偽の基地局に接続されると、既存のデータベースに従って認識可能であり得ない。さらに、偽の基地局は、有効基地局の特性を部分的に複製さえし得る。方法を使用して偽の基地局を発見することは、困難である。したがって、基地局を認証し、偽の基地局を発見する方法および装置を開発する必要性が、存在する。
【０００５】
一実施形態において、第１の無線通信を認証する方法は、第１のメッセージを第１の無線通信ノードの第１のユニットから第１の無線通信ノードの第２のユニットに伝送することであって、第１のメッセージは、第１のユニットによって構成されたシステムメッセージにおける少なくとも１つの第１の情報ブロックの第１の完全性情報を含む、ことと、第１の無線通信ノードの第１のユニットによって、第１の無線通信ノードの第２のユニットから、第２のメッセージを受信することであって、第２のメッセージは、第２のユニットによって構成されたシステムメッセージにおける少なくとも１つの第２の情報ブロックの第２の完全性情報を含む、ことと、第３のメッセージを第１の無線通信ノードから無線通信デバイスに伝送することであって、第３のメッセージは、第３の完全性情報を含み、第４の完全性情報を決定するために無線通信デバイスによって使用されるように構成されている、こととを含む。
【０００６】
さらなる実施形態において、第１の無線通信を認証する方法は、第１のメッセージを第１の無線通信ノードから第２の無線通信ノードに伝送することであって、第１のメッセージは、第１の無線通信ノードによって構成されたシステムメッセージにおける少なくとも１つの第１の情報ブロックの第１の完全性情報を含む、ことと、第１の無線通信ノードによって、第２の無線通信ノードから、第２のメッセージを受信することであって、第２のメッセージは、第２の無線通信ノードによって構成されたシステムメッセージにおける少なくとも１つの第２の情報ブロックの第２の完全性情報を含む、ことと、第３のメッセージを第１の無線通信ノードから無線通信デバイスに伝送することであって、第３のメッセージは、第１の完全性情報を含み、第３の完全性情報を決定するために無線通信デバイスによって使用されるように構成されている、こととを含む。
【０００７】
別の実施形態において、第１の無線通信を認証する方法は、第１の無線通信ノードの第１のユニットによって、無線通信デバイスから、第１のメッセージを受信することと、第１の無線通信ノードの第２のユニットによって、第１の無線通信ノードの第１のユニットから、第２のメッセージを受信することであって、第２のメッセージは、第１のユニットによって構成された少なくとも１つの第１の情報ブロックの第１の完全性情報を含む、ことと、第１の無線通信ノードの第２のユニットから無線通信デバイスに第３のメッセージを伝送することであって、第３のメッセージは、少なくとも１つの第２の情報ブロックの第２の完全性情報を含み、第３の完全性情報を決定するために無線通信デバイスによって使用されるように構成されている、こととを含む。
【０００８】
さらに別の実施形態において、コンピューティングデバイスは、少なくとも１つのプロセッサと、プロセッサに結合されたメモリとを備え、少なくとも１つのプロセッサは、方法を行うように構成される。
【０００９】
さらに別の実施形態において、非一過性コンピュータ読み取り可能な媒体は、その上に記憶された方法を行うためのコンピュータ実行可能命令を有する。
【００１０】
本開示の側面は、付随の図と併せて熟読されるとき、以下の詳細な説明から最良に理解される。種々の特徴は、必ずしも正確な縮尺で描かれていないことに留意されたい。実際、種々の特徴の寸法および幾何学形状は、議論を明確にするために、恣意的に拡大または縮小され得る。
【図面の簡単な説明】
【００１１】
【図１Ａ】図１Ａは、本開示のいくつかの実施形態による、例示的無線通信ネットワークを図示する。
【００１２】
【図１Ｂ】図１Ｂは、本開示のいくつかの実施形態による、ダウンリンク、アップリンク、およびサイドリンク通信信号を伝送および受信するための例示的無線通信システムのブロック図を図示する。
【００１３】
【図２】図２は、本開示のいくつかの実施形態による、基地局（ＢＳ）における分散ユニット（ＤＵ）と中央ユニット（ＣＵ）との間のシステムメッセージにおける少なくとも１つの情報ブロックの完全性情報を構成する方法を図示する。
【００１４】
【図３】図３は、本開示のいくつかの実施形態による、基地局（ＢＳ）における分散ユニット（ＤＵ）と中央ユニット（ＣＵ）との間のシステムメッセージにおける少なくとも１つの情報ブロックの完全性情報を構成する方法を図示する。
【００１５】
【図４】図４は、本開示のいくつかの実施形態による、基地局（ＢＳ）における分散ユニット（ＤＵ）と中央ユニット（ＣＵ）との間のシステムメッセージにおける少なくとも１つの情報ブロックの完全性情報を構成する方法を図示する。
【００１６】
【図５】図５は、本開示のいくつかの実施形態による、異なる基地局（ＢＳ）間のシステムメッセージにおける少なくとも１つの情報ブロックの完全性情報を構成する方法を図示する。
【００１７】
【図６】図６は、本開示のいくつかの実施形態による、システムメッセージにおける完全性情報に基づいて基地局を認証する方法を図示する。
【００１８】
【図７】図７は、本開示のいくつかの実施形態による、システムメッセージにおける完全性情報に基づいて基地局を認証する方法を図示する。
【００１９】
【図８】図８は、本開示のいくつかの実施形態による、システムメッセージにおける完全性情報に基づいて基地局を認証する方法を図示する。
【００２０】
【図９】図９は、本開示のいくつかの実施形態による、システムメッセージにおける完全性情報に基づいて基地局を認証する方法を図示する。
【００２１】
【図１０】図１０は、本開示のいくつかの実施形態による、システムメッセージにおける完全性情報に基づいて基地局を認証する方法を図示する。
【発明を実施するための形態】
【００２２】
本発明の種々の例示的実施形態は、当業者が本発明を作製および使用することを可能にするために、付随の図を参照して下で説明される。当業者に明白であろうように、本開示を熟読後、本明細書に説明される例の種々の変更または修正が、本発明の範囲から逸脱することなく行われることができる。したがって、本発明は、本明細書に説明および図示される例示的実施形態および用途に限定されない。加えて、本明細書に開示される方法におけるステップの具体的順序または階層は、単に、例示的アプローチである。設計選好に基づいて、開示される方法またはプロセスのステップの具体的順序または階層は、本発明の範囲内に留まったまま、並べ替えられることができる。したがって、当業者は、本明細書に開示される方法および技法が、種々のステップまたは行為をサンプル順序において提示し、本発明が、明示的にそうでないことが述べられない限り、提示される具体的順序または階層に限定されないことを理解するであろう。
【００２３】
本発明の実施形態は、付随の図面を参照して詳細に説明される。同一または類似コンポーネントは、同一または類似参照番号によって指定され得るが、それらは、異なる図面に図示される。当技術分野において周知の構造またはプロセスの詳細な説明は、本発明の主題を曖昧にすることを回避するために省略され得る。さらに、用語は、本発明の実施形態におけるその機能性を考慮して定義され、ユーザまたはオペレータの意図、用途等に従って変動し得る。したがって、定義は、本明細書の全体的内容に基づいて行われるべきである。
【００２４】
図１Ａは、本開示のいくつかの実施形態による、例示的無線通信ネットワーク１００を図示する。無線通信システムにおいて、ネットワーク側通信ノードまたは基地局（ＢＳ）は、ＮｏｄｅＢ、Ｅ−ｕｔｒａｎ  ＮｏｄｅＢ（進化型ＮｏｄｅＢ、ｅＮｏｄｅＢ、またはｅＮＢとしても知られる）、新規無線（ＮＲ）技術におけるｇＮｏｄｅＢ（ｇＮＢとしても知られる）、ピコ局、フェムト局等であることができる。端末側ノードまたはユーザ機器（ＵＥ）は、携帯電話、スマートフォン、携帯情報端末（ＰＤＡ）、タブレット、ラップトップコンピュータのような長距離通信システム、または、例えば、ウェアラブルデバイス、車載通信システムを伴う車両等の短距離通信システムであることができる。ネットワークおよび端末側通信ノードは、それぞれ、ＢＳ１０２およびＵＥ１０４によって表され、概して、以降、本開示における全ての実施形態において、「通信ノード」と称される。そのような通信ノードは、本発明の種々の実施形態による無線および／または有線通信が可能であり得る。全ての実施形態は、単に、好ましい例であり、本開示を限定することを意図するものではないことに留意されたい。故に、システムは、本開示の範囲内に留まったまま、ＵＥおよびＢＳの任意の所望の組み合わせを含み得ることを理解されたい。
【００２５】
図１Ａを参照すると、無線通信ネットワーク１００は、第１のＢＳ１０２Ａ（例えば、ｇＮＢ）と、第２のＢＳ１０２Ｂ（例えば、ｅＮＢ）と、第１のＵＥ１０４Ａ（例えば、ＮＲ−ＵＥ）と、第２のＵＥ１０４Ｂ（例えば、ＬＴＥ−ＵＥ）とを含む。ＵＥ１０４Ａの各々は、ＢＳ１０２Ａによってカバーされる第１のセル１０１、およびＢＳ１０２Ｂによってカバーされる第２のセル１０１内を移動する車両であり得る。いくつかの実施形態において、第１のセル１０１は、第２のセル１１０内にある。いくつかの実施形態において、ＵＥ１０４Ａは、ＢＳ１０２ＡおよびＢＳ１０２Ｂとのそれぞれの直接通信チャネル１０３−１Ａおよび１０３−１Ｂを有する。同様に、ＵＥ１０４Ｂも、ＢＳ１０２Ｂによってカバーされる同一セル１１０内を移動する車両であり得るが、ＢＳ１０２Ａとの直接通信チャネルを有していないこともあるか、または、セル１０１のカバレッジ外にある。ＵＥ１０４ｂは、ＢＳ１０２Ａとの直接通信チャネルを有していないが、その近傍ＵＥ、例えば、サイドリンク（ＳＬ）通信グループ１１２内のＵＥ１０４Ａと直接通信チャネル１０５を形成する。ＵＥ１０４とＢＳ１０２との間の直接通信チャネルは、ＵＭＴＳ（ユニバーサルモバイル電気通信システム（ＵＭＴＳ）エアインターフェースとしても知られるＵｕインターフェース等のインターフェースを通したものであり得る。ＵＥ間の直接通信チャネル１０５は、車車間・路車間（Ｖ２Ｘ）および車両間（Ｖ２Ｖ）通信等の高移動速度および高密度用途に対処するために導入されるＰＣ５インターフェースを通したものであり得る。ＢＳ１０２は、外部インターフェース１０７、例えば、Ｉｕインターフェースを通して、コアネットワーク（ＣＮ）１０８に接続される。
【００２６】
ＵＥ１０４Ａは、その同期タイミングを対応するＢＳ１０２Ａから取得し、ＢＳ１０２Ａは、それ自身の同期タイミングをパブリック時間ＮＴＰ（ネットワーク時間プロトコル）サーバまたはＲＮＣ（無線周波数シミュレーションシステムネットワークコントローラ）サーバ等のインターネット時間サービスを通して、コアネットワーク１０８から取得する。これは、ネットワークベースの同期として知られる。代替として、特に、空との直接通視線を有するラージセル内の大規模ＢＳに関して、ＢＳ１０２Ａは、衛星信号１０６を通して全地球的航法衛星システム（ＧＮＳＳ）１０９からも同期タイミングを取得することができ、それは、衛星ベースの同期として知られる。衛星ベースの同期の主要な利点は、局が最小数のＧＰＳ（全地球測位システム）衛星にロックされたままである限り、信頼性がある同期信号を提供する完全独立性である。各ＧＰＳ衛星は、ＧＰＳ信号に対する非常に精密な時間データに寄与する複数の原子時計を含む。ＢＳ１０２Ａ上のＧＰＳ受信機は、これらの信号をデコーディングし、対応するＢＳ１０２Ａを原子時計と効果的に同期させる。これは、対応するＢＳ１０２Ａが、原子時計の所有および動作のコストなしに、１，０００億の１秒（すなわち、１００ナノ秒）以内に時間を決定することを可能にする。
【００２７】
同様に、ＵＥ１０４Ｂは、同期タイミングを対応するＢＳ１０２Ｂから取得することができ、ＢＳ１０２Ｂは、上で詳細に議論されるように、コアネットワーク１０８から、またはＧＮＳＳ１０９から、それ自身の同期タイミングをさらに取得する。ＵＥ１０４Ａも、サイドリンク通信において、ＵＥ１０４Ｂを通して同期タイミングを取得することができ、ＵＥ１０４Ｂの同期タイミングは、上で説明されるように、ネットワークベースまたは衛星ベースのいずれかであることができる。
【００２８】
図１Ｂは、本開示のいくつかの実施形態によるダウンリンク、アップリンク、およびサイドリンク通信信号を伝送および受信するための例示的無線通信システム１５０のブロック図を図示する。システム１５０は、本明細書に詳細に説明される必要がない公知または従来の動作特徴をサポートするように構成されるコンポーネントおよび要素を含み得る。一例示的実施形態において、システム１５０は、上で説明されるように、図１Ａの無線通信ネットワーク１００等の無線通信環境内でデータシンボルを伝送および受信するために使用されることができる。
【００２９】
システム１５０は、概して、議論を容易にするために、下では、集合的に、ＢＳ１０２およびＵＥ１０４と称される第１のＢＳ１０２Ａ、第２の１０２Ｂ、第１のＵＥ１０４Ａ、および第２のＵＥ１０４Ｂを含む。ＢＳ１０２の各々は、ＢＳ送受信機モジュール１５２と、ＢＳアンテナアレイ１５４と、ＢＳメモリモジュール１５６と、ＢＳプロセッサモジュール１５８と、ネットワークインターフェース１６０とを含み、各モジュールは、必要に応じて、データ通信バス１８０を介して、互いに結合および相互接続される。ＵＥ１０４は、ＵＥ送受信機モジュール１６２と、ＵＥアンテナ１６４と、ＵＥメモリモジュール１６６と、ＵＥプロセッサモジュール１６８と、Ｉ／Ｏインターフェース１６９とを含み、各モジュールは、必要に応じて、データ通信バス１９０を介して、互いに結合および相互接続される。ＢＳ１０２は、本明細書に説明されるようなデータの伝送のために好適な当技術分野において公知の任意の無線チャネルまたは他の媒体であり得る通信チャネル１９２を介して、ＵＥ１０４と通信する。
【００３０】
当業者によって理解されるであろうように、システム１５０は、図１Ｂに示されるモジュール以外の任意の数のモジュールをさらに含み得る。当業者は、本明細書に開示される実施形態に関連して説明される種々の例証的ブロック、モジュール、回路、および処理論理が、ハードウェア、コンピュータ読み取り可能なソフトウェア、ファームウェア、またはそれらの任意の実践的組み合わせ内に実装され得ることを理解するであろう。ハードウェア、ファームウェア、およびソフトウェアのこの可換性および互換性を明確に例証するために、種々の例証的コンポーネント、ブロック、モジュール、回路、およびステップは、概して、その機能性の観点から上で説明される。そのような機能性が、ハードウェア、ファームウェア、またはソフトウェアとして実装されるかどうかは、特定の用途および全体的システム上に課される設計制約に依存する。本明細書に説明される概念を伴う当業者は、特定の用途毎に好適な様式においてそのような機能性を実装し得るが、そのような実装決定は、本発明の範囲を限定するものとして解釈されるべきではない。
【００３１】
ＵＥ１０４の伝送側アンテナからＢＳ１０２の受信側アンテナへの無線伝送は、アップリンク伝送として知られ、ＢＳ１０２の伝送側アンテナからＵＥ１０４の受信側アンテナへの無線伝送は、ダウンリンク伝送として知られる。いくつかの実施形態によると、ＵＥ送受信機１６２は、本明細書において、「アップリンク」送受信機１６２と称され得、各々がＵＥアンテナ１６４に結合されるＲＦ送信機および受信機回路を含む。デュプレックススイッチ（図示せず）は、時間デュプレックス方式において、アップリンク送信機または受信機をアップリンクアンテナに交互に結合し得る。同様に、いくつかの実施形態によると、ＢＳ送受信機１５２は、本明細書において、「ダウンリンク」送受信機１５２と称され得、各々がアンテナアレイ１５４に結合されるＲＦ送信機および受信機回路を含む。ダウンリンクデュプレックススイッチは、時間デュプレックス方式において、ダウンリンク送信機または受信機をダウンリンクアンテナアレイ１５４に交互に結合し得る。２つの送受信機１５２および１６２の動作は、アップリンク受信機が、無線通信チャネル１９２を経由した伝送の受信のために、アップリンクＵＥアンテナ１６４に結合され、同時に、ダウンリンク送信機が、ダウンリンクアンテナアレイ１５４に結合されるように、時間的に調整される。好ましくは、最小限のガード時間をデュプレックス方向の変化間に伴う精密な同期タイミングが存在する。ＵＥ送受信機１６２は、ＵＥアンテナ１６４を通して、無線通信チャネル１９２を介してＢＳ１０２と通信するか、または、無線通信チャネル１９３を介して他のＵＥと通信する。無線通信チャネル１９３は、本明細書に説明されるようなデータのサイドリンク伝送のために好適な当技術分野において公知の任意の無線チャネルまたは他の媒体であることができる。
【００３２】
ＵＥ送受信機１６２およびＢＳ送受信機１５２は、無線データ通信チャネル１９２を介して通信し、特定の無線通信プロトコルおよび変調スキームをサポートし得る好適に構成されたＲＦアンテナ配置１５４／１６４と協働するように構成される。いくつかの例示的実施形態において、ＵＥ送受信機１６２およびＢＳ送受信機１５２は、ロングタームエボリューション（ＬＴＥ）および新たに出現した５Ｇ規格（例えば、ＮＲ）等の産業規格をサポートするように構成される。しかしながら、本発明は、必ずしも、用途において、特定の規格および関連付けられたプロトコルに限定されないことを理解されたい。むしろ、ＵＥ送受信機１６２およびＢＳ送受信機１５２は、将来的規格またはその変形例を含む代替または追加の無線データ通信プロトコルをサポートするように構成され得る。
【００３３】
プロセッサモジュール１５８および１６８は、本明細書に説明される機能を実施するように設計される汎用プロセッサ、コンテンツアドレス可能なメモリ、デジタル信号プロセッサ、特定用途向け集積回路、フィールドプログラマブルゲートアレイ、任意の好適なプログラマブル論理デバイス、別々のゲートまたはトランジスタ論理、別々のハードウェアコンポーネント、またはそれらの任意の組み合わせを用いて、実装または実現され得る。このように、プロセッサは、マイクロプロセッサ、コントローラ、マイクロコントローラ、状態機械等として実現され得る。プロセッサは、コンピューティングデバイスの組み合わせ、例えば、デジタル信号プロセッサおよびマイクロプロセッサ、複数のマイクロプロセッサ、デジタル信号プロセッサコアと併せた１つ以上のマイクロプロセッサ、または任意の他のそのような構成の組み合わせとしても実装され得る。
【００３４】
さらに、本明細書に開示される実施形態に関連して説明される方法またはアルゴリズムのステップは、プロセッサモジュール１５８および１６８によって実行されるハードウェア内、ファームウェア、ソフトウェアモジュール、またはそれらの任意の実践的組み合わせにおいて直接具現化され得る。メモリモジュール１５６および１６６は、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野において公知の任意の他の形態の記憶媒体として実現され得る。この点において、メモリモジュール１５６および１６６は、プロセッサモジュール１５８および１６８が、それぞれ、メモリモジュール１５６および１６６から情報を読み取り、情報をそれに書き込み得るように、それぞれ、プロセッサモジュール１５８および１６８に結合され得る。メモリモジュール１５６および１６６も、それらのそれぞれのプロセッサモジュール１５８および１６８の中に統合され得る。いくつかの実施形態において、メモリモジュール１５６および１６６の各々は、それぞれ、プロセッサモジュール１５８および１６８によって実行されるべき命令の実行中、一時的変数または他の中間情報を記憶するためのキャッシュメモリを含み得る。メモリモジュール１５６および１６６の各々は、それぞれ、プロセッサモジュール１５８および１６８によって実行されるべき命令を記憶するための不揮発性メモリも含み得る。
【００３５】
ネットワークインターフェース１６０は、概して、ＢＳ送受信機１５２と、ＢＳ１０２と通信するように構成される他のネットワークコンポーネントおよび通信ノードとの間の双方向通信を有効にするハードウェア、ソフトウェア、ファームウェア、処理論理、および／または基地局１０２の他のコンポーネントを表す。例えば、ネットワークインターフェース１６０は、インターネットまたはＷｉＭＡＸトラフィックをサポートするように構成され得る。典型的展開において、限定ではないが、ネットワークインターフェース１６０は、ＢＳ送受信機１５２が従来のＥｔｈｅｒｎｅｔ（登録商標）ベースのコンピュータネットワークと通信し得るように、８０２．３  Ｅｔｈｅｒｎｅｔ（登録商標）インターフェースを提供する。このように、ネットワークインターフェース１６０は、コンピュータネットワーク（例えば、移動交換局（ＭＳＣ））との接続のために、物理的インターフェースを含み得る。規定された動作または機能に関する用語「〜ように構成される（ｃｏｎｆｉｇｕｒｅｄ  ｔｏ）」または「〜のために構成される（ｃｏｎｆｉｇｕｒｅｄ  ｆｏｒ）」は、本明細書で使用されるように、規定された動作または機能を実施するように物理的に構築され、プログラムされ、フォーマットされ、および／または、配置されるデバイス、コンポーネント、回路、構造、機械、信号等を指す。ネットワークインターフェース１６０は、ＢＳ１０２が有線または無線接続を経由して、他のＢＳまたはコアネットワークと通信することを可能にし得る。
【００３６】
再び図１Ａを参照すると、上で述べられたように、ＢＳ１０２は、ＵＥ１０４が、ＢＳ１０２が位置するセル（例えば、ＢＳ１０２Ａのための１０１およびＢＳ１０２Ｂのための１１０）内のネットワークにアクセスし、一般に、セル内で適切に動作することを可能にするように、ＢＳ１０２と関連付けられたシステム情報を１つ以上のＵＥ（例えば、１０４）に繰り返しブロードキャストする。例えば、ダウンリンクおよびアップリンクセル帯域幅、ダウンリンクおよびアップリンク構成、ランダムアクセスのための構成等の複数の情報が、システム情報内に含まれることができ、それは、下でさらに詳細に議論されるであろう。典型的に、ＢＳ１０２は、いくつかの主要なシステム情報、例えば、セル１０１の構成を搬送する第１の信号をＰＢＣＨ（物理ブロードキャストチャネル）を通してブロードキャストする。例証の明確性の目的のために、そのようなブロードキャストされる第１の信号は、本明細書において、「第１のブロードキャスト信号」と称される。ＢＳ１０２は、続いて、それぞれのチャネル（例えば、物理ダウンリンク共有チャネル（ＰＤＳＣＨ））を通して、ある他のシステム情報を搬送する１つ以上の信号をブロードキャストし得ること（本明細書において、「第２のブロードキャスト信号」、「第３のブロードキャスト信号」等と称される、）に留意されたい。
【００３７】
再び図１Ｂを参照すると、いくつかの実施形態において、第１のブロードキャスト信号によって搬送される主要なシステム情報は、ＢＳ１０２によって、シンボルフォーマットにおいて、通信チャネル１９２（例えば、ＰＢＣＨ）を介して伝送され得る。いくつかの実施形態によると、元の形態の主要なシステム情報は、１つ以上の一続きのデジタルビットとして提示され得、１つ以上の一続きのデジタルビットは、複数のステップ（例えば、コーディング、スクランブリング、変調、マッピングステップ等）を通して処理され得、それらの全ては、ＢＳプロセッサモジュール１５８によって処理され、第１のブロードキャスト信号となることができる。同様に、ＵＥ１０４がＵＥ送受信機１６２を使用して第１のブロードキャスト信号（シンボルフォーマットにおいて）を受信すると、いくつかの実施形態によると、ＵＥプロセッサモジュール１６８は、複数のステップ（マッピング解除、復調、デコーディングステップ等）を実施し、例えば、主要なシステム情報のビットのビット場所、ビット数等の主要なシステム情報を推定し得る。ＵＥプロセッサモジュール１６８は、Ｉ／Ｏインターフェース１６９にも結合され、Ｉ／Ｏインターフェース１６９は、ＵＥ１０４にコンピュータ等の他のデバイスに接続する能力を提供する。Ｉ／Ｏインターフェース１６９は、これらの付属品とＵＥプロセッサモジュール１６８との間の通信経路である。
【００３８】
いくつかの実施形態において、ＵＥ１０４は、ハイブリッド／異種通信ネットワークで動作することができ、ネットワークにおいて、ＵＥは、ＢＳ１０２と通信し、他のＵＥと通信する（例えば、１０４Ａと１０４Ｂとの間）。下でさらに詳細に説明されるように、ＵＥ１０４は、他のＵＥとのサイドリンク通信、およびＢＳ１０２とＵＥ１０４との間のダウンリンク／アップリンク通信をサポートする。上で議論されるように、サイドリンク通信は、サイドリンク通信グループ１１２内のＵＥ１０４Ａおよび１０４Ｂが、ＢＳ１０２がデータをＵＥ間で中継することを要求せずに、互いにまたは異なるセルからの他のＵＥと直接通信リンクを確立することを可能にする。
【００３９】
図２は、本開示のいくつかの実施形態による、ＢＳ１０２における分散ユニット（ＤＵ）と中央ユニット（ＣＵ）との間の少なくとも１つの情報ブロックの完全性情報を構成する方法２００を図示する。追加の動作が、図２の方法２００の前、間、および後に提供され得、いくつかの動作は、省略され、または並べ替えられ得ることを理解されたい。図２におけるＢＳ１０２は、分散ユニット（ＤＵ）１０２−Ａと、中央ユニット（ＣＵ）１０２−Ｂとを備えているが、任意の数のＣＵおよびＤＵが、使用されることができ、本発明の範囲内であることに留意されたい。
【００４０】
方法２００は、いくつかの実施形態によると、動作２０２から開始し、ＢＳ１０２のＤＵ１０２−Ａが、第１のメッセージをＢＳ１０２のＣＵ１０２−Ｂに伝送する。いくつかの実施形態において、第１のメッセージは、Ｆ１接続設定要求メッセージを含む。いくつかの実施形態において、Ｆ１接続設定要求メッセージは、ＤＵ１０２−Ａによって構成され、ＢＳ１０２によって管理されるセルのリストと、ＤＵ１０２−Ａによって構成されるセルの各々のシステムメッセージの少なくとも一部と、システムメッセージにおける少なくとも１つの対応する情報ブロックの完全性情報とを含む。いくつかの実施形態において、情報ブロックは、以下のうちの少なくとも１つを含む：少なくとも１つのシステム情報ブロック（ＳＩＢ）、および少なくとも１つのマスタ情報ブロック（ＭＩＢ）。
【００４１】
いくつかの実施形態において、少なくとも１つの対応する情報ブロックの完全性情報は、システムメッセージ内の情報完全性を説明するために使用され得るパラメータまたは値を含む。概して、情報完全性は、情報の全体的完全性、正確度、および一貫性を指す。したがって、完全性情報は、対応する情報ブロックが破損しているかどうかを決定するために使用されることができる。いくつかの実施形態において、ＤＵ１０２−Ａによって構成されるセルのシステムメッセージ内の少なくとも１つの対応する情報ブロックの完全性情報は、以下のうちの少なくとも１つを含む：少なくとも１つのハッシュ値、および少なくとも１つのデジタルシグネチャ。少なくとも１つのハッシュ値および少なくとも１つのデジタルシグネチャの各々は、以下のうちの１つに対応する：少なくとも１つのＳＩＢ、および少なくとも１つのＭＩＢ。
【００４２】
いくつかの実施形態において、ハッシュ関数は、恣意的サイズの入力データを固定サイズの出力データにマッピングするために使用され得る任意の関数であり得る。ハッシュ関数によって返される値は、ハッシュ値と呼ばれる。２つの元のデータのハッシュ値が、異なる場合、２つの元のデータも、異なる。したがって、ハッシュ関数の決定論的性質は、情報完全性を決定するために使用されることができる。いくつかの実施形態において、システムメッセージ内の情報ブロックのハッシュ値を決定するために使用され得るハッシュ関数は、以下のうちの１つであり得る：メッセージダイジェストアルゴリズム（例えば、ＭＤ２、ＭＤ４、ＭＤ５、ＭＤ６、および完全性プリミティブ評価ＭＤ）、セキュアハッシュアルゴリズム（例えば、ＳＨＡ−０、ＳＨＡ−１、ＳＨＡ−２およびＳＨＡ−３）、およびデジタルシグネチャアルゴリズム。これらが、単にハッシュ関数の例であり、それは、限定することを意図するものではなく、異なる入力／出力サイズ、感度、およびセキュリティレベルを伴う任意のタイプのハッシュ関数が、使用されることができることに留意されたい。
【００４３】
いくつかの実施形態において、第１のメッセージは、ＤＵ１０２−Ａに対する構成更新を含む。いくつかの実施形態において、構成更新は、以下のうちの少なくとも１つを含む：ＤＵ１０２−Ａによって構成されたセルの更新されたリスト、セルの更新されたリスト内のＤＵ１０２−Ａによって構成されたセルのシステムメッセージの少なくとも一部、および、システムメッセージ内の少なくとも１つの対応する情報ブロックの完全性情報。
【００４４】
方法２００は、いくつかの実施形態によると、動作２０４に継続し、ＢＳ１０２のＣＵ１０２−Ｂが、第２のメッセージをＢＳ１０２のＤＵ１０２−Ａに伝送する。いくつかの実施形態において、第２のメッセージは、Ｆ１接続設定応答メッセージを含む。いくつかの実施形態において、Ｆ１接続設定応答メッセージは、ＣＵ１０２−Ｂによって構成されるセルのシステムメッセージ内のＣＵ１０２−Ｂによって構成された少なくとも１つの対応する情報ブロックの完全性情報を含む。いくつかの実施形態において、セルのシステムメッセージ内のＣＵ１０２−Ｂによって構成された少なくとも１つの対応する情報ブロックの完全性情報は、以下のうちの少なくとも１つを含む：少なくとも１つのハッシュ値、および少なくとも１つのデジタルシグネチャ。少なくとも１つのハッシュ値および少なくとも１つのデジタルシグネチャの各々は、以下のうちの１つに対応する：少なくとも１つのＳＩＢ、および少なくとも１つのＭＩＢ。いくつかの実施形態において、Ｆ１接続設定応答メッセージは、ＤＵ１０２−Ａによって構成されたアクティブにされたセルのリストと、システムメッセージ内の情報ブロックの情報とをさらに含み、システムメッセージ内の情報ブロックの情報は、その対応する完全性情報を含むために必要とされ、エアインターフェースを通して、アクティブにされたセル内のＵＥ１０４に伝送される。
【００４５】
いくつかの実施形態において、第２のメッセージは、構成更新確認応答メッセージを含む。いくつかの実施形態において、構成更新確認応答メッセージは、以下のうちの少なくとも１つを含む：セルのシステムメッセージにおける、ＣＵ１０２−Ｂによって構成された少なくとも１つの対応する情報ブロックの完全性情報。いくつかの実施形態において、Ｆ１接続設定応答メッセージは、ＤＵ１０２−Ａによって構成されたアクティブにされたセルのリストと、システムメッセージ内の情報ブロックの情報とをさらに含み、システムメッセージ内の情報ブロックの情報は、その対応する完全性情報を含むために要求され、アクティブにされたセル内のエアインターフェース上でＵＥ１０４に伝送される。
【００４６】
図３は、本開示のいくつかの実施形態による、基地局（ＢＳ）１０２内の分散ユニット（ＤＵ）と中央ユニット（ＣＵ）との間の少なくとも１つの情報ブロックの完全性情報を構成する方法３００を図示する。追加の動作が、図３の方法３００の前、間、および後に提供され得、いくつかの動作は、省略され、または並べ替えられ得ることを理解されたい。図２におけるＢＳ１０２は、分散ユニット（ＤＵ）１０２−Ａと、中央ユニット（ＣＵ）１０２−Ｂとを備えているが、任意の数のＣＵおよびＤＵが、使用されることができ、本発明の範囲内であることに留意されたい。
【００４７】
方法３００は、いくつかの実施形態によると、動作３０２から開始し、ＢＳ１０２のＣＵ１０２−Ｂが、第１のメッセージをＢＳ１０２のＤＵ１０２−Ａに伝送する。いくつかの実施形態において、第１のメッセージは、ＣＵ１０２−Ｂへの構成更新メッセージである。いくつかの実施形態において、構成更新メッセージは、ＣＵ１０２−Ｂによって構成されたセルのシステムメッセージの一部内の少なくとも１つの対応する情報ブロックの完全性情報を含む。いくつかの実施形態において、構成更新メッセージは、以下のうちの少なくとも１つをさらに含む：ＤＵ１０２−Ａによって構成されたアクティブにされたセルのリスト、および、その対応する完全性情報を含むために要求され、エアインターフェースを通して、アクティブにされたセル内のＵＥ１０４に伝送されるシステムメッセージ内の情報ブロックの情報。
【００４８】
いくつかの実施形態において、セルのシステムメッセージ内のＣＵ１０２−Ｂによって構成された少なくとも１つの対応する情報ブロックの完全性情報はのうちの少なくとも１つを含む：少なくとも１つのハッシュ値、および少なくとも１つのデジタルシグネチャ。少なくとも１つのハッシュ値および少なくとも１つのデジタルシグネチャの各々は、以下のうちの１つに対応する：少なくとも１つのＳＩＢ、および少なくとも１つのＭＩＢ。
【００４９】
いくつかの実施形態において、ハッシュ関数は、恣意的サイズの入力データを固定サイズの出力データにマッピングするために使用され得る任意の関数であり得る。ハッシュ関数によって返される値は、ハッシュ値と呼ばれる。２つの元のデータのハッシュ値が異なる場合、２つの元のデータも、異なる。したがって、ハッシュ関数の決定論的性質は、情報完全性を決定するために使用されることができる。いくつかの実施形態において、システムメッセージ内の情報ブロックのハッシュ値を決定するために使用され得るハッシュ関数は、以下のうちの１つであり得る：メッセージダイジェストアルゴリズム（例えば、ＭＤ２、ＭＤ４、ＭＤ５、ＭＤ６、および完全性プリミティブ評価ＭＤ）、セキュアハッシュアルゴリズム（例えば、ＳＨＡ−０、ＳＨＡ−１、ＳＨＡ−２およびＳＨＡ−３）、およびデジタルシグネチャアルゴリズム。これらは、単に、ハッシュ関数の例であり、それは、限定することを意図するものではなく、異なる入力／出力サイズ、感度、およびセキュリティレベルを伴う任意のタイプのハッシュ関数が、使用されることができることに留意されたい。
【００５０】
方法３００は、いくつかの実施形態によると、動作３０４に継続し、ＢＳ１０２のＤＵ１０２−Ａが、第２のメッセージをＢＳ１０２のＣＵ１０２−Ｂに伝送する。いくつかの実施形態において、第２のメッセージは、構成更新確認応答メッセージである。いくつかの実施形態において、構成更新確認応答メッセージは、エアインターフェース上でのＵＥ１０４への少なくとも１つの対応する情報ブロックの完全性情報の伝送がＤＵ１０２−Ａによって失敗された少なくとも１つのアクティブにされたセルの少なくとも１つのセル識別（ＩＤ）を含む。いくつかの実施形態において、ＤＵ１０２−Ａが、対応する情報ブロックへの完全性情報を構成することに失敗するとき、第２のメッセージはさらに、完全性情報の失敗された構成に関する少なくとも１つの理由を含む。
【００５１】
図４は、本開示のいくつかの実施形態による、ＢＳ１０２の分散ユニット（ＤＵ）と中央ユニット（ＣＵ）との間のシステムメッセージにおける少なくとも１つの情報ブロックの完全性情報を構成する方法４００を図示する。追加の動作が、図４の方法４００の前、間、および後に提供され得、いくつかの動作は、省略され、または並べ替えられ得ることを理解されたい。図４におけるＢＳ１０２は、分散ユニット（ＤＵ）１０２−Ａと、中央ユニット（ＣＵ）１０２−Ｂとを備えているが、任意の数のＣＵおよびＤＵが、使用されることができ、本発明の範囲内であることに留意されたい。
【００５２】
方法４００は、いくつかの実施形態によると、動作４０２から開始し、ＣＵ１０２−Ｂが、第１のメッセージをＤＵ１０２−Ａに伝送する。いくつかの実施形態において、ＣＵ１０２−Ｂが、ＢＳ１０２がシステム情報要求メッセージをＵＥ１０４（図示せず）から受信後、第１のメッセージをＤＵ１０２−Ａに伝送する。いくつかの実施形態において、第１のメッセージは、システム情報送達コマンドを含み、システム情報送達コマンドは、以下のうちの少なくとも１つを含む：ＣＵ１０２−Ｂによって構成されたセルのシステムメッセージの少なくとも１つの情報ブロックの完全性情報。いくつかの実施形態において、システム情報送達コマンドは、それらの対応する完全性情報を含むために、または計算するために要求されるシステムメッセージ内の情報ブロックの情報をさらに含む。いくつかの実施形態において、システム情報送達コマンドは、エアインターフェースを通してセル内のＵＥ１０４に伝送されるために要求される情報ブロックの情報をさらに含む。
【００５３】
いくつかの実施形態において、少なくとも１つの対応する情報ブロックの完全性情報は、システムメッセージ内の情報の完全性を説明するために使用され得るパラメータまたは値を含む。いくつかの実施形態において、セルのシステムメッセージ内のＣＵ１０２−Ｂによって構成された少なくとも１つの対応する情報ブロックの完全性情報は、以下のうちの少なくとも１つを含む：少なくとも１つのハッシュ値、および少なくとも１つのデジタルシグネチャ。少なくとも１つのハッシュ値および少なくとも１つのデジタルシグネチャの各々は、以下のうちの１つに対応する：少なくとも１つのＳＩＢ、および少なくとも１つのＭＩＢ。
【００５４】
方法４００は、本開示のいくつかの実施形態によると、動作４０４に継続し、ＤＵ１０２−Ａが、システムメッセージの少なくとも１つの情報ブロックの完全性情報を構成する。いくつかの実施形態において、ＤＵ１０２−Ａによって構成される完全性情報を要求する少なくとも１つの情報ブロックの情報が、ＣＵ１０２−Ｂから受信される。いくつかの実施形態において、ＤＵ１０２−Ａが、システムメッセージ内のＣＵ１０２−ＢおよびＤＵ１０２−Ａの両方によって構成された少なくとも１つの情報ブロックの完全性情報をエアインターフェースを通してＵＥ１０４に伝送する。動作４０４において、ＤＵ１０２−Ａが、システムメッセージをさらに準備し、それは、次いで、ＵＥ１０４に伝送される。
【００５５】
図５は、本開示のいくつかの実施形態による、異なるＢＳ１０２間のシステムメッセージにおける少なくとも１つの情報ブロックの完全性情報を構成する方法５００を図示する。追加の動作が、図５の方法５００の前、間、および後に提供され得、いくつかの動作は、省略され、または並べ替えられ得ることを理解されたい。図５における通信システムは、第１のＢＳ１０２−１と、第２のＢＳ１０２−２とを備えているが、任意の数のＢＳ１０２および任意の数のＤＵ／ＣＵが、使用されることができ、本発明の範囲内であることに留意されたい。
【００５６】
方法５００は、いくつかの実施形態によると、動作５０２から開始し、第１のＢＳ１０２−１が、第１のメッセージを第２のＢＳ１０２−２に伝送する。いくつかの実施形態において、第１のメッセージは、以下のうちの少なくとも１つを含む：Ｘ２またはＸｎ接続設定要求メッセージ、セルリソース協調要求メッセージ、リソースステータス要求メッセージ、および構成更新メッセージ。いくつかの実施形態において、第１のメッセージは、第１のＢＳ１０２−１によって構成された第１のセルのリストと、第１のＢＳ１０２−１によって構成されたセルの各々のシステムメッセージ内の対応する少なくとも１つの情報ブロックの完全性情報とを含む。いくつかの実施形態において、セルのシステムメッセージ内の第１のＢＳ１０２−１によって構成された少なくとも１つの対応する情報ブロックの完全性情報は、以下のうちの少なくとも１つを含む：少なくとも１つのハッシュ値、および少なくとも１つのデジタルシグネチャ。少なくとも１つのハッシュ値および少なくとも１つのデジタルシグネチャの各々は、以下のうちの１つに対応する：少なくとも１つのＳＩＢ、および少なくとも１つのＭＩＢ。
【００５７】
方法５００は、いくつかの実施形態によると、動作５０４に継続し、第２のＢＳ１０２−２が、第２のメッセージを第１のＢＳ１０２−１に伝送する。いくつかの実施形態において、第２のメッセージは、以下のうちの少なくとも１つを含む：第１のメッセージの内容に対応するＸ２またはＸｎ接続設定応答、セルリソース協調応答、リソースステータス応答、および更新確認応答。具体的に、第２のメッセージは、第１のメッセージがＸ２またはＸｎ接続設定要求を含む場合、Ｘ２またはＸｎ接続設定応答を含み、第２のメッセージは、第１のメッセージがセル応答協調要求を含む場合、セル応答協調応答を含み、第２のメッセージは、第１のメッセージがリソースステータス要求を含む場合、リソースステータス応答を含み、第２のメッセージは、第１のメッセージがＢＳ１０２−１への更新を含む場合、更新確認応答を含む。いくつかの実施形態において、第２のメッセージは、第２のＢＳ１０２−２によって構成された第２のセルのリストと、システムメッセージ内の対応する少なくとも１つの情報ブロックの完全性情報とを含む。いくつかの実施形態において、セルのシステムメッセージ内の第２のＢＳ１０２−２によって構成された少なくとも１つの対応する情報ブロックの完全性情報は、以下のうちの少なくとも１つを含む：少なくとも１つのハッシュ値、および少なくとも１つのデジタルシグネチャ。少なくとも１つのハッシュ値および少なくとも１つのデジタルシグネチャの各々は、以下のうちの１つに対応する：少なくとも１つのＳＩＢ、および少なくとも１つのＭＩＢ。
【００５８】
図６は、本開示のいくつかの実施形態によるシステムメッセージにおける完全性情報に基づいて基地局１０２を認証する方法６００を図示する。追加の動作が、図６の方法６００の前、間、および後に提供され得、いくつかの動作は、省略され、または並べ替えられ得ることを理解されたい。図示される実施形態における通信システムは、第１のＢＳ１０２−１と、第２のＢＳ１０２−２と、ＵＥ１０４とを備えている。第１のＢＳ１０２−１は、分散ユニット（ＤＵ）１０２−１Ａと、中央ユニット（ＣＵ）１０２−１Ｂとを備えている。図６における通信システムは、第１のＢＳ１０２−１と、第２のＢＳ１０２−２と、ＵＥ１０４とを備えているが、任意の数のＢＳ１０２およびＵＥ１０４が、使用されることができ、本発明の範囲内であることに留意されたい。
【００５９】
方法６００は、いくつかの実施形態によると、動作６０２から開始し、ＢＳ１０２−１のＤＵ１０２−１Ａが、第１のメッセージをＢＳ１０２−１のＣＵ１０２−１Ｂに伝送する。いくつかの実施形態において、第１のメッセージは、Ｆ１接続設定要求メッセージを含む。いくつかの実施形態において、Ｆ１接続設定要求メッセージは、以下のうちの少なくとも１つを含む：ＤＵ１０２−１Ａによって構成されたセルのリスト、ＤＵ１０２−１Ａによって構成されたセルの各々のシステムメッセージの少なくとも一部、および、ＤＵ１０２−１Ａによって構成されたセルのシステムメッセージ内の少なくとも１つの対応する情報ブロックの完全性情報。いくつかの実施形態において、情報ブロックは、以下のうちの少なくとも１つを含む：少なくとも１つのシステム情報ブロック（ＳＩＢ）、および少なくとも１つのマスタ情報ブロック（ＭＩＢ）。
【００６０】
いくつかの実施形態において、ＤＵ１０２−１Ａによって構成された少なくとも１つの対応する情報ブロックの完全性情報は、システムメッセージ内の情報完全性を説明するために使用され得るパラメータまたは値を含む。概して、情報完全性は、情報の全体的完全性、正確度、および一貫性を指す。したがって、完全性情報は、対応する情報ブロックが破損しているかどうかを決定するために使用されることができる。いくつかの実施形態において、セルのシステムメッセージ内のＤＵ１０２−１Ａによって構成された少なくとも１つの対応する情報ブロックの完全性情報は、以下のうちの少なくとも１つを含む：少なくとも１つのハッシュ値、および少なくとも１つのデジタルシグネチャ。少なくとも１つのハッシュ値および少なくとも１つのデジタルシグネチャの各々は、以下のうちの１つに対応する：少なくとも１つのＳＩＢ、および少なくとも１つのＭＩＢ。
【００６１】
いくつかの実施形態において、ハッシュ関数は、恣意的サイズの入力データを固定サイズの出力データにマッピングするために使用され得る任意の関数であり得る。ハッシュ関数によって返される値は、ハッシュ値と呼ばれる。２つの元のデータのハッシュ値が異なる場合、２つの元のデータも、異なる。したがって、ハッシュ関数の決定論的性質は、情報完全性を決定するために使用されることができる。いくつかの実施形態において、システムメッセージ内の情報ブロックのハッシュ値を決定するために使用され得るハッシュ関数は、以下のうちの１つであり得る：メッセージダイジェストアルゴリズム（例えば、ＭＤ２、ＭＤ４、ＭＤ５、ＭＤ６、および完全性プリミティブ評価ＭＤ）、セキュアハッシュアルゴリズム（例えば、ＳＨＡ−０、ＳＨＡ−１、ＳＨＡ−２およびＳＨＡ−３）、およびデジタルシグネチャアルゴリズム。これらは、単にハッシュ関数の例であり、それは、限定することを意図するものではなく、異なる入力／出力サイズ、感度、およびセキュリティレベルを伴う任意のタイプのハッシュ関数が、使用されることができることに留意されたい。
【００６２】
いくつかの実施形態において、第１のメッセージは、ＤＵ１０２−１Ａへの構成更新も含む。いくつかの実施形態において、構成更新は、以下のうちの少なくとも１つを含む：ＤＵ１０２−１Ａによって構成されたセルの更新されたリスト、セルの更新されたリスト内のＤＵ１０２−１Ａによって構成されたセルのシステムメッセージの少なくとも一部、および、システムメッセージ内の少なくとも１つの対応する情報ブロックの完全性情報。
【００６３】
方法６００は、いくつかの実施形態によると、動作６０４に継続し、ＢＳ１０２−１のＣＵ１０２−１Ｂが、第２のメッセージをＢＳ１０２−１のＤＵ１０２−１Ａに伝送する。いくつかの実施形態において、第２のメッセージは、Ｆ１接続設定応答メッセージを含む。いくつかの実施形態において、Ｆ１接続設定応答メッセージは、ＣＵ１０２−１Ｂによって構成されるセルのシステムメッセージ内のＣＵ１０２−１Ｂによって構成された少なくとも１つの対応する情報ブロックの完全性情報を含む。いくつかの実施形態において、セルのシステムメッセージ内のＣＵ１０２−１Ｂによって構成された少なくとも１つの対応する情報ブロックの完全性情報は、以下のうちの少なくとも１つを含む：少なくとも１つのハッシュ値、および少なくとも１つのデジタルシグネチャ。少なくとも１つのハッシュ値および少なくとも１つのデジタルシグネチャの各々は、以下のうちの１つに対応する：少なくとも１つのＳＩＢ、および少なくとも１つのＭＩＢ。いくつかの実施形態において、Ｆ１接続設定応答メッセージは、ＤＵ１０２−１Ａによって構成されたアクティブにされたセルのリストと、システムメッセージ内の情報ブロックの情報とをさらに含み、システムメッセージ内の情報ブロックの情報は、その対応する完全性情報を含むために要求され、アクティブにされたセル内のエアインターフェース上でＵＥ１０４に伝送される。
【００６４】
いくつかの実施形態において、第２のメッセージは、構成更新確認応答メッセージも含む。いくつかの実施形態において、構成更新確認応答メッセージは、以下のうちの少なくとも１つを含む：セルのシステムメッセージ内のＣＵ１０２−Ｂによって構成された少なくとも１つの対応する情報ブロックの完全性情報。いくつかの実施形態において、Ｆ１接続設定応答メッセージは、ＤＵ１０２−Ａによって構成されたアクティブにされたセルのリストと、システムメッセージ内の情報ブロックの情報とをさらに含み、システムメッセージ内の情報ブロックの情報は、その対応する完全性情報を含むために要求され、アクティブにされたセル内のエアインターフェース上でＵＥ１０４に伝送される。
【００６５】
方法６００は、いくつかの実施形態によると、動作６０６に継続し、第１のＢＳ１０２−１が、第３のメッセージをＵＥ１０４に伝送する。いくつかの実施形態において、第３のメッセージは、ＤＵ１０２−１ＡからＵＥ１０４に伝送される。いくつかの実施形態において、第３のメッセージは、システムメッセージであり得る。いくつかの他の実施形態において、第３のメッセージは、ＵＥ１０４によって要求される特定のシステムメッセージであり得る。いくつかの実施形態において、システムメッセージは、エアインターフェース上でＵＥ１０４に伝送される。
【００６６】
いくつかの実施形態において、第３のメッセージは、完全性情報を計算するためのアルゴリズム、例えば、少なくとも１つのハッシュ値を計算するために使用されるハッシュ関数を含む。いくつかの実施形態において、第３のメッセージは、完全性情報を含む少なくとも１つの情報ブロックの指示も含む。いくつかの実施形態において、指示は、システムメッセージ内の１つの情報ブロックによって搬送されることができる。いくつかの他の実施形態において、システムメッセージ内の複数の情報ブロックの各々は、それが完全性情報を含むかどうかの指示を搬送することができる。いくつかの実施形態において、第３のメッセージは、システムメッセージ内の少なくとも１つの情報ブロックの第１の完全性情報も含む。いくつかの実施形態において、システムメッセージ内の少なくとも１つの対応する情報ブロックの完全性情報は、以下のうちの少なくとも１つを含む：少なくとも１つのハッシュ値、および少なくとも１つのデジタルシグネチャ。少なくとも１つのハッシュ値および少なくとも１つのデジタルシグネチャの各々は、以下のうちの１つに対応する：少なくとも１つのＳＩＢ、および少なくとも１つのＭＩＢ。いくつかの実施形態において、システムメッセージ内の複数の情報ブロックの各々は、それ自身の対応する完全性情報を搬送することができる。いくつかの他の実施形態において、複数の情報ブロックの各々の完全性情報は、特定の情報ブロックによって搬送される。いくつかの実施形態において、複数の情報ブロックは、ＢＳ１０２のＣＵ１０２−１ＢおよびＤＵ１０２−１Ａの両方によって構成された情報ブロックを含む。
【００６７】
方法６００は、いくつかの実施形態によると、動作６０８に継続し、ＵＥ１０４が、第１のＢＳ１０２−１から受信される第３のメッセージに基づいて、第２の完全性情報を決定する。いくつかの実施形態において、ＵＥ１０４は、第３のメッセージ内で受信された少なくとも１つの情報ブロックの指示および完全性情報を計算するためのアルゴリズムに従って、第２の完全性情報を計算することができる。
【００６８】
方法６００は、いくつかの実施形態によると、動作６１０に継続し、ＵＥ１０４が、第４のメッセージを第２のＢＳ１０２−２に伝送する。いくつかの実施形態において、第２のＢＳ１０２−２は、ＵＥ１０４に関連するＲＲＣ（無線リソース制御）を有するＢＳである。いくつかの実施形態において、第２のメッセージは、第１のＢＳ１０２−１から受信される第３のメッセージに従ってＵＥ１０２によって計算される第２の完全性情報を含む測定報告を含む。いくつかの実施形態において、第４のメッセージは、第１のＢＳ１０２−１のセルＩＤも含む。
【００６９】
方法６００は、動作６１２に継続し、第１のＢＳ１０２−１の完全性情報が第２のＢＳ１０２−２内に記憶されていないとき、第２のＢＳ１０２−２が、第５のメッセージを第１のＢＳ１０２−１に伝送する。いくつかの実施形態において、第５のメッセージは、以下のうちの１つを含む：Ｘ２またはＸｎ接続設定要求、セルリソース協調要求、リソースステータス要求、および構成更新メッセージ。いくつかの実施形態において、第５のメッセージは、ＢＳ１０２−１によって管理される少なくとも１つのセル内の少なくとも１つの対応するシステムメッセージの第１の完全性情報をＢＳ１０２−１に報告するように要求する。
【００７０】
方法６００は、いくつかの実施形態によると、動作６１４に継続し、第２のＢＳ１０２−２が、第６のメッセージを第１のＢＳ１０２−１から受信する。いくつかの実施形態において、第６のメッセージは、以下のうちの少なくとも１つを含む：第５のメッセージの内容に対応するＸ２またはＸｎ接続設定応答メッセージ、セルリソース協調応答メッセージ、リソースステータス応答メッセージ、および構成更新確認応答メッセージ。いくつかの実施形態において、第６のメッセージは、第１のＢＳ１０２−１の第１の完全性情報を含む。
【００７１】
方法６００は、いくつかの実施形態によると、動作６１６に継続し、第１の完全性情報と第２の完全性情報とが、第２のＢＳ１０２−２によって比較される。第２の完全性情報が、第１の完全性情報と合致しない場合、第１のＢＳ１０２−１（それから、第１のメッセージが受信された）は、偽のＢＳと決定される。次いで、第１のＢＳ１０２−１のセルＩＤは、第２のＢＳ１０２−２内に記憶され、それは、偽のＢＳを決定するために使用されるか、または、他の隣接するＢＳまたはＵＥに伝送され得る。
【００７２】
図７は、本開示のいくつかの実施形態による、システムメッセージにおける完全性情報に基づいて基地局１０２を認証する方法７００を図示する。追加の動作が、図７の方法７００の前、間、および後に提供され得、いくつかの動作は、省略され、または並べ替えられ得ることを理解されたい。図示される実施形態における通信システムは、第１のＢＳ１０２−１と、第２のＢＳ１０２−２と、ＵＥ１０４とを備えている。第１のＢＳ１０２−１は、分散ユニット（ＤＵ）１０２−１Ａと、中央ユニット（ＣＵ）１０２−１Ｂとを備えている。図７における通信システムは、第１のＢＳ１０２−１と、第２のＢＳ１０２−２と、ＵＥ１０４とを備えているが、任意の数のＢＳ１０２およびＵＥ１０４が、使用されることができ、本発明の範囲内であることに留意されたい。
【００７３】
方法７００は、いくつかの実施形態によると、動作７０２から開始し、ＢＳ１０２−１のＤＵ１０２−１Ａが、第１のメッセージをＢＳ１０２−１のＣＵ１０２−１Ｂに伝送する。いくつかの実施形態において、第１のメッセージは、Ｆ１接続設定要求メッセージを含む。いくつかの実施形態において、Ｆ１接続設定要求メッセージは、ＤＵ１０２−１Ａによって構成されたセルのリストと、セルのリスト内のＤＵ１０２−１Ａによって構成されたセルの各々のシステムメッセージの少なくとも一部と、システムメッセージ内の少なくとも１つの対応する情報ブロックの完全性情報とを含む。いくつかの実施形態において、情報ブロックは、以下のうちの少なくとも１つを含む：少なくとも１つのシステム情報ブロック（ＳＩＢ）および少なくとも１つのマスタ情報ブロック（ＭＩＢ）。
【００７４】
いくつかの実施形態において、第１のメッセージは、ＤＵ１０２−１Ａへの構成更新を含む。いくつかの実施形態において、構成更新は、以下のうちの少なくとも１つを含む：ＤＵ１０２−１Ａによって構成されたセルの更新されたリスト、セルの更新されたリスト内のＤＵ１０２−１Ａによって構成されたセルのシステムメッセージの少なくとも一部、およびシステムメッセージ内の少なくとも１つの対応する情報ブロックの完全性情報。
【００７５】
いくつかの実施形態において、少なくとも１つの対応する情報ブロックの完全性情報は、システムメッセージ内の情報の完全性を説明するために使用され得るパラメータまたは値を含む。いくつかの実施形態において、セルのシステムメッセージ内のＤＵ１０２−１Ａによって構成された少なくとも１つの対応する情報ブロックの完全性情報は、以下のうちの少なくとも１つを含む：少なくとも１つのハッシュ値、および少なくとも１つのデジタルシグネチャ。少なくとも１つのハッシュ値および少なくとも１つのデジタルシグネチャの各々は、以下のうちの１つに対応する：少なくとも１つのＳＩＢおよび少なくとも１つのＭＩＢ。
【００７６】
方法７００は、いくつかの実施形態によると、動作７０４に継続し、ＢＳ１０２−１のＣＵ１０２−１Ｂが、第２のメッセージをＢＳ１０２−１のＤＵ１０２−１Ａに伝送する。いくつかの実施形態において、第２のメッセージは、Ｆ１接続設定応答メッセージを含む。いくつかの実施形態において、Ｆ１接続設定応答メッセージは、ＣＵ１０２−１Ｂによって構成されるセルのシステムメッセージ内のＣＵ１０２−１Ｂによって構成された少なくとも１つの対応する情報ブロックの完全性情報を含む。いくつかの実施形態において、セルのシステムメッセージ内のＣＵ１０２−１Ｂによって構成された少なくとも１つの対応する情報ブロックの完全性情報は、以下のうちの少なくとも１つを含む：少なくとも１つのハッシュ値、および少なくとも１つのデジタルシグネチャ。少なくとも１つのハッシュ値および少なくとも１つのデジタルシグネチャの各々は、以下のうちの１つに対応する：少なくとも１つのＳＩＢおよび少なくとも１つのＭＩＢ。いくつかの実施形態において、Ｆ１接続設定応答メッセージは、ＤＵ１０２−１Ａによって構成されたアクティブにされたセルのリストと、システムメッセージ内の情報ブロックの情報とをさらに含み、システムメッセージ内の情報ブロックの情報は、その対応する完全性情報を含むために要求され、アクティブにされたセル内のエアインターフェース上でＵＥ１０４に伝送される。
【００７７】
いくつかの実施形態において、第２のメッセージは、構成更新確認応答メッセージを含む。いくつかの実施形態において、構成更新確認応答メッセージは、以下のうちの少なくとも１つを含む：セルのシステムメッセージ内のＣＵ１０２−１Ｂによって構成された少なくとも１つの対応する情報ブロックの完全性情報。いくつかの実施形態において、Ｆ１接続設定応答メッセージは、ＤＵ１０２−１Ａによって構成されたアクティブにされたセルのリストと、システムメッセージ内の情報ブロックの情報とをさらに含み、システムメッセージ内の情報ブロックの情報は、その対応する完全性情報を含むために要求され、アクティブにされたセル内のエアインターフェース上でＵＥ１０４に伝送される。
【００７８】
方法７００は、いくつかの実施形態によると、動作７０６から開始し、第１のＢＳ１０２−１が、第３のメッセージをＵＥ１０４に伝送する。いくつかの実施形態において、第３のメッセージは、ＤＵ１０２−１ＡからＵＥ１０４に伝送される。いくつかの実施形態において、第３のメッセージは、システムメッセージであり得る。いくつかの他の実施形態において、第３のメッセージは、ＵＥ１０４によって要求される特定のシステムメッセージであり得る。いくつかの実施形態において、システムメッセージは、エアインターフェース上でＵＥ１０４に伝送される。
【００７９】
いくつかの実施形態において、第３のメッセージは、システムメッセージ内の少なくとも１つの情報ブロックの第１の完全性情報を含む。いくつかの実施形態において、第１の完全性情報は、ＤＵ１０２−１Ａによって構成された少なくとも１つの対応する情報ブロックの完全性情報と、ＣＵ１０２−１Ｂによって構成された少なくとも１つの対応する情報ブロックの完全性情報とを含む。いくつかの実施形態において、第３のメッセージは、完全性情報を計算するためのアルゴリズム、例えば、少なくとも１つのハッシュ値を計算するために使用されるハッシュ関数も含む。いくつかの実施形態において、第３のメッセージは、完全性情報を含む少なくとも１つの情報ブロックの指示をさらに含む。いくつかの実施形態において、指示は、システムメッセージ内の１つの情報ブロックによって搬送されることができる。いくつかの他の実施形態において、システムメッセージ内の複数の情報ブロックの各々は、それが完全性情報を含むかどうかの指示を搬送することができる。いくつかの実施形態において、システムメッセージ内の少なくとも１つの対応する情報ブロックの完全性情報は、以下のうちの少なくとも１つを含む：少なくとも１つのハッシュ値、および少なくとも１つのデジタルシグネチャ。少なくとも１つのハッシュ値および少なくとも１つのデジタルシグネチャの各々は、以下のうちの１つに対応する：少なくとも１つのＳＩＢおよび少なくとも１つのＭＩＢ。いくつかの実施形態において、システムメッセージ内の複数の情報ブロックの各々は、それ自身の対応する完全性情報を搬送することができる。いくつかの他の実施形態において、複数の情報ブロックの各々の完全性情報は、特定の情報ブロックによって搬送される。いくつかの実施形態において、複数の情報ブロックは、ＢＳ１０２のＣＵ１０２−１ＢおよびＤＵ１０２−１Ａの両方によって構成された情報ブロックを含む。
【００８０】
方法７００は、いくつかの実施形態によると、動作７０８に継続し、ＵＥ１０４が、第１のＢＳ１０２−１から受信される第３のメッセージに基づいて、第２の完全性情報を決定する。いくつかの実施形態において、ＵＥ１０４は、第３のメッセージ内で受信された少なくとも１つの情報ブロックの指示および完全性情報を計算するためのアルゴリズムに従って、第２の完全性情報を計算することができる。いくつかの実施形態において、第２の完全性情報を決定後、ＵＥ１０４は、ＢＳ１０２−１からの第３のメッセージから受信される第１の完全性情報を第２の完全性情報と比較し、システムメッセージが改変されたかどうかを決定する。いくつかの実施形態において、第１の完全性情報が第２の完全性情報に合致しないとき、ＢＳ１０２−１は、偽のＢＳと決定される。いくつかの実施形態において、偽のＢＳ１０２−１の情報（例えば、セル識別子またはセルＩＤ）は、ＵＥ１０４内に記憶される。
【００８１】
方法７００は、いくつかの実施形態によると、動作７１０に継続し、ＵＥ１０４が、第４のメッセージを第２のＢＳ１０２−２に伝送する。いくつかの実施形態において、第２のＢＳ１０２−２は、ＵＥ１０４に関連するＲＲＣ（無線リソース制御）を有するＢＳである。いくつかの実施形態において、第４のメッセージは、偽の第１のＢＳ１０２−１のセルＩＤを含む測定報告を含む。
【００８２】
図８は、本開示のいくつかの実施形態による、システムメッセージにおける完全性情報に基づいて基地局１０２を認証する方法８００を図示する。追加の動作が、図８の方法８００の前、間、および後に提供され得、いくつかの動作は、省略され、または並べ替えられ得ることを理解されたい。図示される実施形態における通信システムは、第１のＢＳ１０２−１と、第２のＢＳ１０２−２と、ＵＥ１０４とを備えている。第１のＢＳ１０２−１は、分散ユニット（ＤＵ）１０２−１Ａと、中央ユニット（ＣＵ）１０２−１Ｂとを備えている。図８における通信システムは、第１のＢＳ１０２−１と、第２のＢＳ１０２−２と、ＵＥ１０４とを備えているが、任意の数のＢＳ１０２およびＵＥ１０４が、使用されることができ、本発明の範囲内であることに留意されたい。
【００８３】
方法８００は、いくつかの実施形態によると、動作８０２から開始し、ＵＥ１０４が、第１のメッセージを第１のＢＳ１０２−１に伝送する。いくつかの実施形態において、第１のメッセージは、少なくとも１つの特定のシステム情報ブロックに関するＵＥ１０４から第１のＢＳ１０２−１への要求メッセージを含む。いくつかの実施形態において、要求メッセージは、ＵＥ１０４が第１のＢＳ１０２−１によって構成されるある特定のシステム情報ブロックを要求するために構成されるシステム情報要求メッセージである。いくつかの実施形態において、第１のメッセージは、ＵＥ１０４によって、第１のＢＳ１０２−１のＣＵ１０２−１Ｂに伝送される。
【００８４】
方法８００は、いくつかの実施形態によると、動作８０４に継続し、ＣＵ１０２−１Ｂが、第２のメッセージを第１のＢＳ１０２−１のＤＵ１０２−１Ａに伝送する。いくつかの実施形態において、第２のメッセージは、システム情報送達コマンドを含み、システム情報送達コマンドは、ＣＵ１０２−１Ｂによって構成された対応するセルのシステムメッセージ内の少なくとも１つの情報ブロックの完全性情報を含む。いくつかの実施形態において、ＣＵ１０２−１Ｂによって構成されたセルのシステムメッセージ内の少なくとも１つの対応する情報ブロックの完全性情報は、以下のうちの少なくとも１つを含む：少なくとも１つのハッシュ値、および少なくとも１つのデジタルシグネチャ。少なくとも１つのハッシュ値および少なくとも１つのデジタルシグネチャの各々は、以下のうちの１つに対応する：少なくとも１つのＳＩＢおよび少なくとも１つのＭＩＢ。
【００８５】
いくつかの実施形態において、システム情報送達コマンドは、それらの対応する完全性情報を含むために、または計算するために要求されるシステムメッセージ内の情報ブロックの情報をさらに含む。いくつかの実施形態において、システム情報送達コマンドは、エアインターフェースを通して第１のＢＳ１０２−１のＤＵ１０２−１ＡからＵＥ１０４に、伝送されるために要求される情報ブロックの情報をさらに含む。いくつかの実施形態において、システム情報送達コマンドは、ＤＵ１０２−１Ａによって構成されたアクティブにされたセルのリストをさらに含む。
【００８６】
方法８００は、本開示のいくつかの実施形態によると、動作８０６に継続し、ＤＵ１０２−Ａが、システムメッセージの完全性情報を構成し、システムメッセージをＵＥ１０４に伝送する。いくつかの実施形態において、ＤＵ１０２−Ａは、システムメッセージ内のＤＵ１０２−ＡおよびＣＵ１０２−Ｂの両方によって構成された少なくとも１つの情報ブロックの完全性情報をエアインターフェースを通してＵＥ１０４に伝送する。
【００８７】
いくつかの実施形態において、第３のメッセージは、システムメッセージ内の少なくとも１つの情報ブロックの第１の完全性情報も含む。いくつかの実施形態において、第１の完全性情報は、ＤＵ１０２−１Ａによって構成された少なくとも１つの対応する情報ブロックの完全性情報と、ＣＵ１０２−１Ｂによって構成された少なくとも１つの対応する情報ブロックの完全性情報とを含む。いくつかの実施形態において、第３のメッセージは、完全性情報を計算するためのアルゴリズム、例えば、少なくとも１つのハッシュ値を計算するために使用されるハッシュ関数を含む。いくつかの実施形態において、第３のメッセージは、完全性情報を含む少なくとも１つの情報ブロックの指示も含む。いくつかの実施形態において、指示は、システムメッセージ内の１つの情報ブロックによって搬送されることができる。いくつかの他の実施形態において、システムメッセージ内の複数の情報ブロックの各々は、それが完全性情報を含むかどうかの指示を搬送することができる。いくつかの実施形態において、システムメッセージ内の少なくとも１つの対応する情報ブロックの完全性情報は、以下のうちの少なくとも１つを含む：少なくとも１つのハッシュ値、および少なくとも１つのデジタルシグネチャ。少なくとも１つのハッシュ値および少なくとも１つのデジタルシグネチャの各々は、以下のうちの１つに対応する：少なくとも１つのＳＩＢおよび少なくとも１つのＭＩＢ。いくつかの実施形態において、システムメッセージ内の複数の情報ブロックの各々は、それ自身の対応する完全性情報を搬送することができる。いくつかの他の実施形態において、複数の情報ブロックの各々の完全性情報は、特定の情報ブロックによって搬送される。いくつかの実施形態において、複数の情報ブロックは、ＢＳ１０２のＣＵ１０２−１ＢおよびＤＵ１０２−１Ａの両方によって構成された情報ブロックを含む。
【００８８】
方法８００は、いくつかの実施形態によると、動作８０８に継続し、ＵＥ１０４が、第１のＢＳ１０２−１から受信される第３のメッセージに基づいて、第２の完全性情報を決定する。いくつかの実施形態において、ＵＥ１０４は、第３のメッセージ内で受信された少なくとも１つの情報ブロックの指示および完全性情報を計算するためのアルゴリズムに従って、第２の完全性情報を計算することができる。
【００８９】
方法８００は、いくつかの実施形態によると、動作８１０に継続し、ＵＥ１０４が、第４のメッセージを第２のＢＳ１０２−２に伝送する。いくつかの実施形態において、第２のＢＳ１０２−２は、ＵＥ１０４に関連するＲＲＣ（無線リソース制御）を有するＢＳである。いくつかの実施形態において、第２のメッセージは、第１のＢＳ１０２−１から受信される第３のメッセージに従ってＵＥ１０２によって計算される第２の完全性情報を含む測定報告を含む。いくつかの実施形態において、第４のメッセージは、第１のＢＳ１０２−１のセルＩＤも含む。
【００９０】
方法８００は、動作８１２に継続し、第１のＢＳ１０２−１の完全性情報が第２のＢＳ１０２−２内に記憶されていないとき、第２のＢＳ１０２−２が、第５のメッセージを第１のＢＳ１０２−１に伝送する。いくつかの実施形態において、第５のメッセージは、以下のうちの１つを含む：Ｘ２またはＸｎ接続設定要求、セルリソース協調要求、リソースステータス要求、およびＢＳ１０２−１の構成更新。いくつかの実施形態において、第５のメッセージは、ＢＳ１０２−１に、ＢＳ１０２−１によって管理される少なくとも１つのセル内の少なくとも１つの対応するシステムメッセージの第１の完全性情報を報告するように要求する。
【００９１】
方法８００は、いくつかの実施形態によると、動作８１４に継続し、第２のＢＳ１０２−２が、第６のメッセージを第１のＢＳ１０２−１から受信する。いくつかの実施形態において、第６のメッセージは、以下のうちの少なくとも１つを含む：第５のメッセージの内容に対応するＸ２またはＸｎ接続設定応答メッセージ、セルリソース協調応答メッセージ、リソースステータス応答メッセージ、および構成更新確認応答メッセージ。いくつかの実施形態において、第６のメッセージは、第１のＢＳ１０２−１の第１の完全性情報を含む。
【００９２】
方法８００は、いくつかの実施形態によると、動作８１６に継続し、第１の完全性情報と第２の完全性情報とが、第２のＢＳ１０２−２によって比較される。第２の完全性情報が第１の完全性情報と合致しない場合、第１のＢＳ１０２−１（それから、第１のメッセージが受信された）は、偽のＢＳと決定される。第１のＢＳ１０２−１のセルＩＤは、次いで、第２のＢＳ１０２−２内に記憶され、それは、偽のＢＳを決定するために使用されるか、または、他の隣接するＢＳまたはＵＥに伝送され得る。
【００９３】
図９は、本開示のいくつかの実施形態による、システムメッセージにおける完全性情報に基づいて基地局１０２を認証する方法９００を図示する。追加の動作が、図９の方法９００の前、間、および後に提供され得、いくつかの動作は、省略され、または並べ替えられ得ることを理解されたい。図示される実施形態における通信システムは、第１のＢＳ１０２−１と、第２のＢＳ１０２−２と、ＵＥ１０４とを備えている。第１のＢＳ１０２−１は、分散ユニット（ＤＵ）１０２−１Ａと、中央ユニット（ＣＵ）１０２−１Ｂとを備えている。図９における通信システムは、第１のＢＳ１０２−１と、第２のＢＳ１０２−２と、ＵＥ１０４とを備えているが、任意の数のＢＳ１０２およびＵＥ１０４が、使用されることができ、本発明の範囲内であることに留意されたい。
【００９４】
方法９００は、いくつかの実施形態によると、動作９０２から開始し、ＵＥ１０４が、第１のメッセージを第１のＢＳ１０２−１に伝送する。いくつかの実施形態において、第１のメッセージは、少なくとも１つの特定のシステム情報ブロックに関するＵＥ１０４から第１のＢＳ１０２−１への情報ブロック要求メッセージを含む。いくつかの実施形態において、要求メッセージは、ＵＥ１０４が、第１のＢＳ１０２−１によって構成されるある特定のシステム情報ブロックを要求するために構成されるシステム情報要求メッセージである。いくつかの実施形態において、第１のメッセージは、ＵＥ１０４によって、第１のＢＳ１０２−１のＣＵ１０２−１Ｂに伝送される。
【００９５】
方法９００は、いくつかの実施形態によると、動作９０４に継続し、ＣＵ１０２−１Ｂが、第２のメッセージを第１のＢＳ１０２−１のＤＵ１０２−１Ａに伝送する。いくつかの実施形態において、第２のメッセージは、システム情報送達コマンドを含み、システム情報送達コマンドは、ＣＵ１０２−１Ｂによって構成された対応するセルのシステムメッセージ内の少なくとも１つの情報ブロックの完全性情報を含む。いくつかの実施形態において、ＣＵ１０２−１Ｂによって構成されたセルのシステムメッセージ内の少なくとも１つの対応する情報ブロックの完全性情報は、以下のうちの少なくとも１つを含む：少なくとも１つのハッシュ値、および少なくとも１つのデジタルシグネチャ。少なくとも１つのハッシュ値および少なくとも１つのデジタルシグネチャの各々は、以下のうちの１つに対応する：少なくとも１つのＳＩＢおよび少なくとも１つのＭＩＢ。
【００９６】
いくつかの実施形態において、システム情報送達コマンドは、その対応する完全性情報を含むために、または計算するために要求されるシステムメッセージ内の情報ブロックの情報をさらに含む。いくつかの実施形態において、システム情報送達コマンドは、エアインターフェースを通して第１のＢＳ１０２−１のＤＵ１０２−１ＡからＵＥ１０４に伝送されるために要求される情報ブロックの情報をさらに含む。いくつかの実施形態において、システム情報送達コマンドは、ＤＵ１０２−１Ａによって構成されたアクティブにされたセルのリストをさらに含む。
【００９７】
方法９００は、本開示のいくつかの実施形態によると、動作９０６に継続し、ＤＵ１０２−１Ａが、システムメッセージの完全性情報を構成し、システムメッセージをＵＥ１０４に伝送する。いくつかの実施形態において、ＤＵ１０２−１Ａは、システムメッセージ内のＤＵ１０２−１ＡおよびＣＵ１０２−１Ｂの両方によって構成された少なくとも１つの情報ブロックの完全性情報をエアインターフェースを通してＵＥ１０４に伝送する。
【００９８】
いくつかの実施形態において、第３のメッセージは、第１のＢＳ１０２−１によって構成されたシステムメッセージ内の少なくとも１つの情報ブロックの第１の完全性情報も含む。いくつかの実施形態において、第１の完全性情報は、ＤＵ１０２−１Ａによって構成された少なくとも１つの対応する情報ブロックの完全性情報と、ＣＵ１０２−１Ｂによって構成された少なくとも１つの対応する情報ブロックの完全性情報とを含む。いくつかの実施形態において、第３のメッセージは、完全性情報を計算するためのアルゴリズム、例えば、少なくとも１つのハッシュ値を計算するために使用されるハッシュ関数も含む。いくつかの実施形態において、第３のメッセージは、完全性情報を含む少なくとも１つの情報ブロックの指示をさらに含む。いくつかの実施形態において、指示は、システムメッセージ内の１つの情報ブロックによって搬送されることができる。いくつかの他の実施形態において、システムメッセージ内の複数の情報ブロックの各々は、それが完全性情報を含むかどうかの指示を搬送することができる。いくつかの実施形態において、システムメッセージ内の少なくとも１つの対応する情報ブロックの完全性情報は、以下のうちの少なくとも１つを含む：少なくとも１つのハッシュ値、および少なくとも１つのデジタルシグネチャ。少なくとも１つのハッシュ値および少なくとも１つのデジタルシグネチャの各々は、以下のうちの１つに対応する：少なくとも１つのＳＩＢおよび少なくとも１つのＭＩＢ。いくつかの実施形態において、システムメッセージ内の複数の情報ブロックの各々は、それ自身の対応する完全性情報を搬送することができる。いくつかの他の実施形態において、複数の情報ブロックの各々の完全性情報は、特定の情報ブロックによって搬送される。いくつかの実施形態において、複数の情報ブロックは、ＢＳ１０２のＣＵ１０２−１ＢおよびＤＵ１０２−１Ａの両方によって構成された情報ブロックを含む。
【００９９】
方法９００は、いくつかの実施形態によると、動作９０８に継続し、ＵＥ１０４が、第１のＢＳ１０２−１から受信される第３のメッセージに基づいて、第２の完全性情報を決定する。いくつかの実施形態において、ＵＥ１０４は、第３のメッセージ内で受信された少なくとも１つの情報ブロックの指示および完全性情報を計算するためのアルゴリズムに従って、第２の完全性情報を計算することができる。いくつかの実施形態において、第２の完全性情報を決定後、ＵＥ１０４は、ＢＳ１０２−１からの第３のメッセージから受信された第１の完全性情報を第２の完全性情報と比較し、システムメッセージが改変されたかどうかを決定する。いくつかの実施形態において、第１の完全性情報が第２の完全性情報に合致しないとき、ＢＳ１０２−１は、偽のＢＳと決定される。いくつかの実施形態において、偽のＢＳ１０２−１の情報（例えば、セル識別子またはセルＩＤ）は、ＵＥ１０４内に記憶される。
【０１００】
方法９００は、いくつかの実施形態によると、動作９１０に継続し、ＵＥ１０４が、第４のメッセージを第２のＢＳ１０２−２に伝送する。いくつかの実施形態において、第２のＢＳ１０２−２は、ＵＥ１０４に関連するＲＲＣ（無線リソース制御）を有するＢＳである。いくつかの実施形態において、第４のメッセージは、偽の第１のＢＳ１０２−１のセルＩＤを含む測定報告を含む。
【０１０１】
図１０は、本開示のいくつかの実施形態による、システムメッセージにおける完全性情報に基づいて基地局１０２を認証する方法１０００を図示する。追加の動作が、図１０の方法１０００の前、間、および後に提供され得、いくつかの動作は、省略され、または並べ替えられ得ることを理解されたい。図示される実施形態における通信システムは、第１のＢＳ１０２−１と、第２のＢＳ１０２−２と、ＵＥ１０４とを備えている。図１０における通信システムは、第１のＢＳ１０２−１と、第２のＢＳ１０２−２と、ＵＥ１０４とを備えているが、任意の数のＢＳ１０２およびＵＥ１０４が、使用されることができ、本発明の範囲内であることに留意されたい。
【０１０２】
方法１０００は、いくつかの実施形態によると、動作１００２から開始し、第１のＢＳ１０２−１が、第１のメッセージを第２のＢＳ１０２−２に伝送する。いくつかの実施形態において、第１のメッセージは、以下のうちの少なくとも１つを含む：Ｘ２またはＸｎ接続設定要求、セルリソース協調要求、リソースステータス要求、およびＢＳ１０２−１への更新。いくつかの実施形態において、第１のメッセージは、第１のＢＳ１０２−１によって構成された第１のセルのリストと、第１のＢＳ１０２−１によって構成されたシステムメッセージ内の対応する少なくとも１つの情報ブロックの第１の完全性情報とを含む。いくつかの実施形態において、少なくとも１つの対応する情報ブロックの第１の完全性情報は、システムメッセージ内の情報の完全性を説明するために使用され得るパラメータまたは値を含む。いくつかの実施形態において、セルのシステムメッセージ内の第１のＢＳ１０２−１によって構成された少なくとも１つの対応する情報ブロックの第１の完全性情報は、以下のうちの少なくとも１つを含む：少なくとも１つのハッシュ値、および少なくとも１つのデジタルシグネチャ。少なくとも１つのハッシュ値および少なくとも１つのデジタルシグネチャの各々は、以下のうちの１つに対応する：少なくとも１つのＳＩＢおよび少なくとも１つのＭＩＢ。いくつかの実施形態において、第１のＢＳ１０２−１からの第１の完全性情報は、第２のＢＳ１０２−２内に記憶される。
【０１０３】
方法１０００は、いくつかの実施形態によると、動作１００４に継続し、第２のＢＳ１０２−２が、第２のメッセージを第１のＢＳ１０２−１に伝送する。いくつかの実施形態において、第２のメッセージは、以下のうちの少なくとも１つを含む：第１のメッセージの内容に対応するＸ２またはＸｎ接続設定応答、セルリソース協調応答、リソースステータス応答、および更新確認応答。具体的に、第２のメッセージは、第１のメッセージが、Ｘ２またはＸｎ接続設定要求を含む場合、Ｘ２またはＸｎ接続設定応答を含み、第２のメッセージは、第１のメッセージが、セル応答協調要求を含む場合、セル応答協調応答を含み、第２のメッセージは、第１のメッセージが、リソースステータス要求を含む場合、リソースステータス応答を含み、第２のメッセージは、第１のメッセージがＢＳ１０２−１への更新を含む場合、更新確認応答を含む。
【０１０４】
いくつかの実施形態において、第２のメッセージは、第２のＢＳ１０２−２によって構成された第２のセルのリストと、第２のＢＳ１０２−２によって構成されたシステムメッセージ内の対応する少なくとも１つの情報ブロックの第２の完全性情報とを含む。いくつかの実施形態において、少なくとも１つの対応する情報ブロックの第２の完全性情報は、システムメッセージ内の情報の完全性を説明するために使用され得るパラメータまたは値を含む。いくつかの実施形態において、セルのシステムメッセージ内の第２のＢＳ１０２−２によって構成された少なくとも１つの対応する情報ブロックの第２の完全性情報は、以下のうちの少なくとも１つを含む：少なくとも１つのハッシュ値、および少なくとも１つのデジタルシグネチャ。少なくとも１つのハッシュ値および少なくとも１つのデジタルシグネチャの各々は、以下のうちの１つに対応する：少なくとも１つのＳＩＢおよび少なくとも１つのＭＩＢ。いくつかの実施形態において、第２のＢＳ１０２−１からの第２の完全性情報は、第１のＢＳ１０２−２内に記憶される。
【０１０５】
方法１０００は、いくつかの実施形態によると、動作１００６に継続し、第１のＢＳ１０２−１が、第３のメッセージをＵＥ１０４に伝送する。いくつかの実施形態において、第１のＢＳ１０２−１は、第１のＢＳ１０２−１によって構成されたシステムメッセージ内の少なくとも１つの情報ブロックの第１の完全性情報をエアインターフェースを通してＵＥ１０４に伝送する。
【０１０６】
いくつかの実施形態において、第３のメッセージは、第１のＢＳ１０２−１によって構成されたシステムメッセージ内の少なくとも１つの情報ブロックの第１の完全性情報も含む。いくつかの実施形態において、第３のメッセージは、完全性情報を計算するためのアルゴリズム、例えば、少なくとも１つのハッシュ値を計算するために使用されるハッシュ関数も含む。いくつかの実施形態において、第３のメッセージは、完全性情報を含む少なくとも１つの情報ブロックの指示をさらに含む。いくつかの実施形態において、指示は、システムメッセージ内の１つの情報ブロックによって搬送されることができる。いくつかの他の実施形態において、システムメッセージ内の複数の情報ブロックの各々は、それが完全性情報を含むかどうかの指示を搬送することができる。いくつかの実施形態において、システムメッセージ内の少なくとも１つの対応する情報ブロックの完全性情報は、以下のうちの少なくとも１つを含む：少なくとも１つのハッシュ値、および少なくとも１つのデジタルシグネチャ。少なくとも１つのハッシュ値および少なくとも１つのデジタルシグネチャの各々は、以下のうちの１つに対応する：少なくとも１つのＳＩＢおよび少なくとも１つのＭＩＢ。いくつかの実施形態において、システムメッセージ内の複数の情報ブロックの各々は、それ自身の対応する完全性情報を搬送することができる。いくつかの他の実施形態において、複数の情報ブロックの各々の完全性情報は、特定の情報ブロックによって搬送される。いくつかの実施形態において、複数の情報ブロックは、ＢＳ１０２のＣＵ１０２−１ＢおよびＤＵ１０２−１Ａの両方によって構成された情報ブロックを含む。
【０１０７】
方法１０００は、いくつかの実施形態によると、動作１００８に継続し、ＵＥ１０４が、第１のＢＳ１０２−１から受信される第３のメッセージに基づいて、第３の完全性情報を決定する。いくつかの実施形態において、ＵＥ１０４は、第３のメッセージ内で受信された少なくとも１つの情報ブロックの指示および完全性情報を計算するためのアルゴリズムに従って、第３の完全性情報を計算することができる。いくつかの実施形態において、第３の完全性情報を決定後、ＵＥ１０４は、第１のＢＳ１０２−１からの第３のメッセージから受信される第１の完全性情報と第３の完全性情報を比較し、システムメッセージが改変されたかどうかを決定する。いくつかの実施形態において、第１の完全性情報が第３の完全性情報に合致しないとき、第１のＢＳ１０２−１は、偽のＢＳと決定される。いくつかの実施形態において、偽のＢＳ１０２−１の情報、例えば、セル識別子またはセルＩＤは、ＵＥ１０４内に記憶される。
【０１０８】
方法１０００は、いくつかの実施形態によると、動作１０１０に継続し、ＵＥ１０４が、第４のメッセージを第２のＢＳ１０２−２に伝送する。いくつかの実施形態において、第２のＢＳ１０２−２は、ＵＥ１０４に関連するＲＲＣ（無線リソース制御）を有するＢＳである。いくつかの実施形態において、第４のメッセージは、偽の第１のＢＳ１０２−１のセルＩＤを含む測定報告を含む。
【０１０９】
本発明の種々の実施形態が、上で説明されたが、それらは、限定としてではなく、例としてのみ提示されたことを理解されたい。同様に、種々の略図は、例示的アーキテクチャまたは構成を描写し得、それらは、当業者が、本発明の例示的特徴および機能を理解することを可能にするために提供される。しかしながら、そのような当業者は、本発明が、図示される例示的アーキテクチャまたは構成に制限されず、種々の代替アーキテクチャおよび構成を使用して実装されることができることを理解するであろう。加えて、当業者によって理解されるであろうように、一実施形態の１つ以上の特徴は、本明細書に説明される別の実施形態の１つ以上の特徴と組み合わせられることができる。したがって、本開示の範疇および範囲は、上で説明される例示的実施形態のいずれかによって限定されるべきではない。
【０１１０】
「第１」、「第２」等の指定を使用した本明細書における要素の任意の参照が、概して、それらの要素の数量または順序を限定するものにではないことを理解されたい。むしろ、これらの指定は、本明細書において、２つ以上の要素または要素のインスタンス間で区別する便宜的手段として使用されることができる。したがって、第１および第２の要素の参照は、２つのみの要素が採用され得ること、または第１の要素がある様式において第２の要素に先行しなければならないことを意味するものではない。
【０１１１】
加えて、当業者は、情報および信号が種々の異なる技術および技法のいずれかを使用して表されることができることを理解するであろう。上記説明において参照され得る、例えば、データ、命令、コマンド、情報、信号、ビット、およびシンボルは、例えば、電圧、電流、電磁波、磁場または粒子、明視野または粒子、または任意のそれらの組み合わせによって表されることができる。
【０１１２】
当業者は、本明細書に開示される側面に関連して説明される種々の例証的論理ブロック、モジュール、プロセッサ、手段、回路、方法、および機能のいずれかが、電子ハードウェア（例えば、ソースコーディングまたはある他の技法を使用して設計され得るデジタル実装、アナログ実装、またはその２つの組み合わせ）、命令を組み込む種々の形態のプログラムまたは設計コード（本明細書において、便宜上、「ソフトウェア」または「ソフトウェアモジュールと称され得る）、または両方の組み合わせによって実装されることができることをさらに理解するであろう。ハードウェアおよびソフトウェアのこの可換性を明確に例証するために、種々の例証的コンポーネント、ブロック、モジュール、回路、およびステップは、概して、その機能性の観点から上で説明される。そのような機能性が、ハードウェア、ファームウェア、またはソフトウェア、またはこれらの技法の組み合わせとして実装されるかどうかは、特定の用途および全体的システム上に課される設計制約に依存する。当業者は、説明される機能性を各特定の用途のために種々の方法で実装することができるが、そのような実装決定は、本開示の範囲からの逸脱を生じさせるものと解釈されるべきにおいてない。
【０１１３】
さらに、当業者は、本明細書に説明される種々の例証的論理ブロック、モジュール、デバイス、コンポーネント、および回路が、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、または、任意のそれらの組み合わせを含み得る集積回路（ＩＣ）内に実装されること、またはそれによって実施されることができることを理解するであろう。論理ブロック、モジュール、および回路は、アンテナおよび／または送受信機をさらに含み、ネットワークまたはデバイス内の種々のコンポーネントと通信することができる。汎用プロセッサは、マイクロプロセッサであることができるが、代替として、プロセッサは、任意の従来のプロセッサ、コントローラ、または状態機械であることができる。プロセッサは、コンピューティングデバイス、例えば、ＤＳＰおよびマイクロプロセッサ、複数のマイクロプロセッサ、ＤＳＰコアと併せた１つ以上のマイクロプロセッサの組み合わせ、または本明細書に説明される機能を実施するための任意の他の好適な構成の組み合わせとしても実装されることができる。
【０１１４】
ソフトウェアにおいて実装される場合、機能は、１つ以上の命令またはコードとして、コンピュータ読み取り可能な媒体上に記憶されることができる。したがって、本明細書に開示される方法またはアルゴリズムのステップは、コンピュータ読み取り可能な媒体上に記憶されるソフトウェアとして実装されることができる。コンピュータ読み取り可能な媒体は、コンピュータ記憶媒体および通信媒体の両方を含み、コンピュータプログラムまたはコードを１つの場所から別の場所に転送することを可能にされ得る任意の媒体を含む。記憶媒体は、コンピュータによってアクセスされ得る任意の利用可能な媒体であることができる。限定ではなく、一例として、そのようなコンピュータ読み取り可能な媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、または所望のプログラムコードを命令またはデータ構造の形態で記憶するために使用され得、かつコンピュータによってアクセスされ得る任意の他の媒体を含むことができる。
【０１１５】
本書において、用語「モジュール」は、本明細書で使用されるように、ソフトウェア、ファームウェア、ハードウェア、および本明細書に説明される関連付けられた機能を実施するためのこれらの要素の任意の組み合わせを指す。加えて、議論の目的のために、種々のモジュールは、別々のモジュールとして説明される。しかしながら、当業者に明白であろうように、２つ以上のモジュールが、組み合わせられ、本発明の実施形態に従って関連付けられた機能を実施する、単一モジュールを形成し得る。
【０１１６】
加えて、メモリまたは他の記憶装置および通信コンポーネントが、本発明の実施形態において採用され得る。明確にする目的のために、上記説明は、異なる機能ユニットおよびプロセッサを参照して本発明の実施形態を説明していることを理解されたい。しかしながら、異なる機能ユニット、処理論理要素、またはドメイン間の機能性の任意の好適な分布が、本発明から逸脱することなく使用され得ることが明白であろう。例えば、別個の処理論理要素またはコントローラによって実施されるように例証される機能性は、同一処理論理要素またはコントローラによって実施され得る。故に、具体的機能ユニットの参照は、厳密な論理または物理構造または編成を示すのにおいてなく、説明される機能性を提供するための好適な手段の参照にすぎない。
【０１１７】
本開示に説明される実装の種々の修正が、当業者に容易に明白であり、本明細書に定義された一般的原理は、本開示の範囲から逸脱することなく、他の実装に適用されることができる。したがって、本開示は、本明細書に示される実装に限定されることを意図するものではなく、下記の請求項において列挙されるように、本明細書に開示される新規特徴および原理と一致する最広範囲と見なされるべきである。
【図１Ａ】
2021535655.tif 000003
【図１Ｂ】
2021535655.tif 000004
【図２】
2021535655.tif 000005
【図３】
2021535655.tif 000006
【図４】
2021535655.tif 000007
【図５】
2021535655.tif 000008
【図６】
2021535655.tif 000009
【図７】
2021535655.tif 000010
【図８】
2021535655.tif 000011
【図９】
2021535655.tif 000012
【図１０】
2021535655.tif 000013
【手続補正書】
【提出日】令和3年4月14日(2021.4.14)
【手続補正１】
【補正対象書類名】特許請求の範囲
【補正対象項目名】全文
【補正方法】変更
【補正の内容】
【特許請求の範囲】
【請求項１】
第１の無線通信ノードを認証する方法であって、前記方法は、
第１のメッセージを前記第１の無線通信ノードの第１のユニットから前記第１の無線通信ノードの第２のユニットに伝送することであって、前記第１のメッセージは、前記第１のユニットによって構成されたシステムメッセージにおける少なくとも１つの第１の情報ブロックの第１の完全性情報を含む、ことと、
前記第１の無線通信ノードの前記第１のユニットによって、前記第１の無線通信ノードの前記第２のユニットから、第２のメッセージを受信することであって、前記第２のメッセージは、前記第２のユニットによって構成されたシステムメッセージにおける少なくとも１つの第２の情報ブロックの第２の完全性情報を含む、ことと、
前記第１の無線通信ノードから無線通信デバイスに第３のメッセージを伝送することと
を含み、
前記第３のメッセージは、第３の完全性情報を含み、前記第３のメッセージは、第４の完全性情報を決定するために前記無線通信デバイスによって使用されるように構成されている、方法。
【請求項２】
前記第１のメッセージは、Ｆ１接続設定要求メッセージおよび構成更新メッセージのうちの１つを含む、請求項１に記載の方法。
【請求項３】
前記第２のメッセージは、Ｆ１接続設定応答メッセージおよび構成更新確認応答メッセージのうちの１つを含む、請求項１に記載の方法。
【請求項４】
前記少なくとも１つの情報ブロックは、システム情報ブロック（ＳＩＢ）およびマスタ情報ブロック（ＭＩＢ）のうちの１つを含む、請求項１に記載の方法。
【請求項５】
前記第１の完全性情報、前記第２の完全性情報、前記第３の完全性情報、および前記第４の完全性情報の各々は、ハッシュ値およびデジタルシグネチャのうちの少なくとも１つを含む、請求項１に記載の方法。
【請求項６】
前記第１のユニットは、分散ユニット（ＤＵ）であり、前記第２のユニットは、中央ユニット（ＣＵ）である、請求項１に記載の方法。
【請求項７】
前記第３の完全性情報は、少なくとも１つの第３の情報ブロックに対応し、前記第３の情報ブロックは、前記少なくとも１つの第１の情報ブロックと、前記少なくとも１つの第２の情報ブロックとを含む、請求項１に記載の方法。
【請求項８】
前記第３のメッセージは、前記少なくとも１つの第３の情報ブロックのハッシュ関数および指示のうちの少なくとも１つをさらに含む、請求項７に記載の方法。
【請求項９】
前記少なくとも１つの第３の情報ブロックの前記指示は、前記第３のメッセージにおける第４の情報ブロック、および前記少なくとも１つの対応する第３の情報ブロックのうちの１つによって搬送される、請求項８に記載の方法。
【請求項１０】
前記ハッシュ関数は、メッセージダイジェストアルゴリズム、セキュアハッシュアルゴリズム、およびデジタルシグネチャアルゴリズムのうちの１つである、請求項８に記載の方法。
【請求項１１】
前記第３のメッセージは、エアインターフェースを通して伝送される、請求項１に記載の方法。
【請求項１２】
第２の無線通信ノードによって、前記無線通信デバイスから、第４のメッセージを受信することであって、前記第４のメッセージは、前記第４の完全性情報を含む、ことと、
前記第２の無線通信ノードによって、前記第１の無線通信ノードに第５のメッセージを伝送することと、
前記第２の無線通信ノードによって、前記第１の無線通信ノードから、第６のメッセージを受信することであって、前記第６のメッセージは、前記第３の完全性情報を含む、ことと、
前記第２の無線通信ノードによって、前記第３の完全性情報が前記第４の完全性情報に合致するかどうかを決定することと、
前記第３の完全性情報が前記第４の完全性情報に合致しないことを決定することに応答して、前記第１の無線通信ノードのセルＩＤを前記第２の無線通信ノードにおいて記憶することと
をさらに含み、
前記第１の無線通信ノードは、偽物であると決定される、請求項１に記載の方法。
【請求項１３】
前記第５のメッセージは、Ｘ２またはＸｎ接続設定要求、セルリソース協調要求、リソースステータス要求、および構成更新メッセージのうちの１つを含む、請求項１２に記載の方法。
【請求項１４】
前記第６のメッセージは、Ｘ２またはＸｎ接続設定応答メッセージ、セルリソース協調応答メッセージ、リソースステータス応答メッセージ、および構成更新確認応答メッセージのうちの１つを含む、請求項１２に記載の方法。
【請求項１５】
第１の無線通信ノードを認証する方法であって、前記方法は、
前記第１の無線通信ノードから第２の無線通信ノードに第１のメッセージを伝送することであって、前記第１のメッセージは、前記第１の無線通信ノードによって構成されたシステムメッセージにおける少なくとも１つの第１の情報ブロックの第１の完全性情報を含む、ことと、
前記第１の無線通信ノードによって、前記第２の無線通信ノードから、第２のメッセージを受信することであって、前記第２のメッセージは、前記第２の無線通信ノードによって構成されたシステムメッセージにおける少なくとも１つの第２の情報ブロックの第２の完全性情報を含む、ことと、
前記第１の無線通信ノードから無線通信デバイスに第３のメッセージを伝送することと
を含み、
前記第３のメッセージは、第１の完全性情報を含み、前記第３のメッセージは、第３の完全性情報を決定するために前記無線通信デバイスによって使用されるように構成されている、方法。
【請求項１６】
前記第１のメッセージは、Ｘ２またはＸｎ接続設定要求、セルリソース協調要求、リソースステータス要求、および構成更新メッセージのうちの１つを含む、請求項１５に記載の方法。
【請求項１７】
前記第２のメッセージは、Ｘ２またはＸｎ接続設定応答メッセージ、セルリソース協調応答メッセージ、リソースステータス応答メッセージ、および構成更新確認応答メッセージのうちの１つを含む、請求項１５に記載の方法。
【請求項１８】
第１の無線通信ノードを認証する方法であって、前記方法は、
前記第１の無線通信ノードの第１のユニットによって、無線通信デバイスから、第１のメッセージを受信することと、
前記第１の無線通信ノードの第２のユニットによって、前記第１の無線通信ノードの前記第１のユニットから、第２のメッセージを受信することであって、前記第２のメッセージは、前記第１のユニットによって構成された少なくとも１つの第１の情報ブロックの第１の完全性情報を含む、ことと、
前記第１の無線通信ノードの前記第２のユニットから前記無線通信デバイスに第３のメッセージを伝送することと
を含み、
前記第３のメッセージは、少なくとも１つの第２の情報ブロックの第２の完全性情報を含み、前記第３のメッセージは、第３の完全性情報を決定するために前記無線通信デバイスによって使用されるように構成されている、方法。
【請求項１９】
少なくとも１つのプロセッサと前記プロセッサに結合されたメモリとを備えているコンピューティングデバイスであって、前記少なくとも１つのプロセッサは、請求項１−１８のいずれか１項に記載の方法を行うように構成されている、コンピューティングデバイス。
【請求項２０】
請求項１−１８のいずれか１項に記載の方法を行うためのコンピュータ実行可能命令を記憶している非一過性コンピュータ読み取り可能な媒体。
【手続補正２】
【補正対象書類名】明細書
【補正対象項目名】０００９
【補正方法】変更
【補正の内容】
【０００９】
さらに別の実施形態において、非一過性コンピュータ読み取り可能な媒体は、その上に記憶された方法を行うためのコンピュータ実行可能命令を有する。
本発明はさらに、例えば、以下を提供する。
（項目１）
第１の無線通信ノードを認証する方法であって、前記方法は、
第１のメッセージを前記第１の無線通信ノードの第１のユニットから前記第１の無線通信ノードの第２のユニットに伝送することであって、前記第１のメッセージは、前記第１のユニットによって構成されたシステムメッセージにおける少なくとも１つの第１の情報ブロックの第１の完全性情報を含む、ことと、
前記第１の無線通信ノードの前記第１のユニットによって、前記第１の無線通信ノードの前記第２のユニットから、第２のメッセージを受信することであって、前記第２のメッセージは、前記第２のユニットによって構成されたシステムメッセージにおける少なくとも１つの第２の情報ブロックの第２の完全性情報を含む、ことと、
前記第１の無線通信ノードから無線通信デバイスに第３のメッセージを伝送することと
を含み、
前記第３のメッセージは、第３の完全性情報を含み、前記第３のメッセージは、第４の完全性情報を決定するために前記無線通信デバイスによって使用されるように構成されている、方法。
（項目２）
前記第１のメッセージは、Ｆ１接続設定要求メッセージおよび構成更新メッセージのうちの１つを含む、項目１に記載の方法。
（項目３）
前記第２のメッセージは、Ｆ１接続設定応答メッセージおよび構成更新確認応答メッセージのうちの１つを含む、項目１に記載の方法。
（項目４）
前記少なくとも１つの情報ブロックは、システム情報ブロック（ＳＩＢ）およびマスタ情報ブロック（ＭＩＢ）のうちの１つを含む、項目１に記載の方法。
（項目５）
前記第１の完全性情報、前記第２の完全性情報、前記第３の完全性情報、および前記第４の完全性情報の各々は、ハッシュ値およびデジタルシグネチャのうちの少なくとも１つを含む、項目１に記載の方法。
（項目６）
前記第１のユニットは、分散ユニット（ＤＵ）であり、前記第２のユニットは、中央ユニット（ＣＵ）である、項目１に記載の方法。
（項目７）
前記第３の完全性情報は、少なくとも１つの第３の情報ブロックに対応し、前記第３の情報ブロックは、前記少なくとも１つの第１の情報ブロックと、前記少なくとも１つの第２の情報ブロックとを含む、項目１に記載の方法。
（項目８）
前記第３のメッセージは、前記少なくとも１つの第３の情報ブロックのハッシュ関数および指示のうちの少なくとも１つをさらに含む、項目７に記載の方法。
（項目９）
前記少なくとも１つの第３の情報ブロックの前記指示は、前記第３のメッセージにおける第４の情報ブロック、および前記少なくとも１つの対応する第３の情報ブロックのうちの１つによって搬送される、項目８に記載の方法。
（項目１０）
前記ハッシュ関数は、メッセージダイジェストアルゴリズム、セキュアハッシュアルゴリズム、およびデジタルシグネチャアルゴリズムのうちの１つである、項目８に記載の方法。
（項目１１）
前記第３のメッセージは、エアインターフェースを通して伝送される、項目１に記載の方法。
（項目１２）
第２の無線通信ノードによって、前記無線通信デバイスから、第４のメッセージを受信することであって、前記第４のメッセージは、前記第４の完全性情報を含む、ことと、
前記第２の無線通信ノードによって、前記第１の無線通信ノードに第５のメッセージを伝送することと、
前記第２の無線通信ノードによって、前記第１の無線通信ノードから、第６のメッセージを受信することであって、前記第６のメッセージは、前記第３の完全性情報を含む、ことと、
前記第２の無線通信ノードによって、前記第３の完全性情報が前記第４の完全性情報に合致するかどうかを決定することと、
前記第３の完全性情報が前記第４の完全性情報に合致しないことを決定することに応答して、前記第１の無線通信ノードのセルＩＤを前記第２の無線通信ノードにおいて記憶することと
をさらに含み、
前記第１の無線通信ノードは、偽物であると決定される、項目１に記載の方法。
（項目１３）
前記第５のメッセージは、Ｘ２またはＸｎ接続設定要求、セルリソース協調要求、リソースステータス要求、および構成更新メッセージのうちの１つを含む、項目１２に記載の方法。
（項目１４）
前記第６のメッセージは、Ｘ２またはＸｎ接続設定応答メッセージ、セルリソース協調応答メッセージ、リソースステータス応答メッセージ、および構成更新確認応答メッセージのうちの１つを含む、項目１２に記載の方法。
（項目１５）
第１の無線通信ノードを認証する方法であって、前記方法は、
前記第１の無線通信ノードから第２の無線通信ノードに第１のメッセージを伝送することであって、前記第１のメッセージは、前記第１の無線通信ノードによって構成されたシステムメッセージにおける少なくとも１つの第１の情報ブロックの第１の完全性情報を含む、ことと、
前記第１の無線通信ノードによって、前記第２の無線通信ノードから、第２のメッセージを受信することであって、前記第２のメッセージは、前記第２の無線通信ノードによって構成されたシステムメッセージにおける少なくとも１つの第２の情報ブロックの第２の完全性情報を含む、ことと、
前記第１の無線通信ノードから無線通信デバイスに第３のメッセージを伝送することと
を含み、
前記第３のメッセージは、第１の完全性情報を含み、前記第３のメッセージは、第３の完全性情報を決定するために前記無線通信デバイスによって使用されるように構成されている、方法。
（項目１６）
前記第１のメッセージは、Ｘ２またはＸｎ接続設定要求、セルリソース協調要求、リソースステータス要求、および構成更新メッセージのうちの１つを含む、項目１５に記載の方法。
（項目１７）
前記第２のメッセージは、Ｘ２またはＸｎ接続設定応答メッセージ、セルリソース協調応答メッセージ、リソースステータス応答メッセージ、および構成更新確認応答メッセージのうちの１つを含む、項目１５に記載の方法。
（項目１８）
前記少なくとも１つの第１の情報ブロックおよび前記少なくとも１つの第２の情報ブロックの各々は、システム情報ブロック（ＳＩＢ）およびマスタ情報ブロック（ＭＩＢ）のうちの１つを含む、項目１５に記載の方法。
（項目１９）
前記第１の完全性情報、前記第２の完全性情報、および前記第３の完全性情報の各々は、ハッシュ値およびデジタルシグネチャのうちの少なくとも１つを含む、項目１５に記載の方法。
（項目２０）
前記第３のメッセージは、前記少なくとも１つの第１の情報ブロックのハッシュ関数および指示のうちの少なくとも１つをさらに含む、項目１５に記載の方法。
（項目２１）
前記少なくとも１つの第１の情報ブロックの前記指示は、前記第３のメッセージにおける少なくとも１つの対応する第１の情報ブロック、および第３の情報ブロックのうちの１つによって搬送される、項目２０に記載の方法。
（項目２２）
前記ハッシュ関数は、メッセージダイジェストアルゴリズム、セキュアハッシュアルゴリズム、およびデジタルシグネチャアルゴリズムのうちの１つである、項目２０に記載の方法。
（項目２３）
前記第３のメッセージは、エアインターフェースを通して伝送される、項目１５に記載の方法。
（項目２４）
前記無線通信デバイスによって、前記第１の完全性情報が前記第３の完全性情報に合致するかどうかを決定することと、
前記第１の完全性情報が前記第３の完全性情報に合致しないことを決定することに応答して、前記無線通信デバイスによって、前記第２の無線通信ノードに第４のメッセージを伝送することと
をさらに含む、項目１５に記載の方法。
（項目２５）
前記第４のメッセージは、前記第１の無線通信ノードの識別を含み、前記第１の無線通信ノードは、偽物であると決定される、項目２４に記載の方法。
（項目２６）
第１の無線通信ノードを認証する方法であって、前記方法は、
前記第１の無線通信ノードの第１のユニットによって、無線通信デバイスから、第１のメッセージを受信することと、
前記第１の無線通信ノードの第２のユニットによって、前記第１の無線通信ノードの前記第１のユニットから、第２のメッセージを受信することであって、前記第２のメッセージは、前記第１のユニットによって構成された少なくとも１つの第１の情報ブロックの第１の完全性情報を含む、ことと、
前記第１の無線通信ノードの前記第２のユニットから前記無線通信デバイスに第３のメッセージを伝送することと
を含み、
前記第３のメッセージは、少なくとも１つの第２の情報ブロックの第２の完全性情報を含み、前記第３のメッセージは、第３の完全性情報を決定するために前記無線通信デバイスによって使用されるように構成されている、方法。
（項目２７）
前記少なくとも１つの第１の情報ブロックおよび前記少なくとも１つの第２の情報ブロックの各々は、システム情報ブロック（ＳＩＢ）およびマスタ情報ブロック（ＭＩＢ）のうちの１つを含む、項目２６に記載の方法。
（項目２８）
前記少なくとも１つの第２の情報ブロックは、前記第１のユニットによって構成された少なくとも１つの第１の情報ブロックと、前記第１の無線通信ノードの前記第２のユニットによって構成された少なくとも１つの第３の情報ブロックとを含む、項目２６に記載の方法。
（項目２９）
前記第１の完全性情報、前記第２の完全性情報、および前記第３の完全性情報の各々は、ハッシュ値およびデジタルシグネチャのうちの少なくとも１つを含む、項目２６に記載の方法。
（項目３０）
前記第３のメッセージは、前記少なくとも１つの第２の情報ブロックのハッシュ関数および指示のうちの少なくとも１つをさらに含む、項目２６に記載の方法。
（項目３１）
前記少なくとも１つの第２の情報ブロックの前記指示は、前記第３のメッセージにおける少なくとも１つの対応する第２の情報ブロック、および第３の情報ブロックのうちの１つによって搬送される、項目３０に記載の方法。
（項目３２）
前記ハッシュ関数は、メッセージダイジェストアルゴリズム、セキュアハッシュアルゴリズム、およびデジタルシグネチャアルゴリズムのうちの１つである、項目３０に記載の方法。
（項目３３）
前記第３のメッセージは、エアインターフェースを通して伝送される、項目２６に記載の方法。
（項目３４）
前記無線通信デバイスによって、前記第２の完全性情報が前記第３の完全性情報に合致するかどうかを決定することと、
前記第２の完全性情報が前記第３の完全性情報に合致しないことを決定することに応答して、前記無線通信デバイスによって、第２の無線通信ノードに第４のメッセージを伝送することと
をさらに含む、項目２６に記載の方法。
（項目３５）
前記第４のメッセージは、前記第１の無線通信ノードの識別を含み、前記第１の無線通信ノードは、偽物であると決定される、項目３４に記載の方法。
（項目３６）
少なくとも１つのプロセッサと前記プロセッサに結合されたメモリとを備えているコンピューティングデバイスであって、前記少なくとも１つのプロセッサは、項目１−３５のいずれか１項に記載の方法を行うように構成されている、コンピューティングデバイス。
（項目３７）
項目１−３５のいずれか１項に記載の方法を行うためのコンピュータ実行可能命令を記憶している非一過性コンピュータ読み取り可能な媒体。
【国際調査報告】
2021535655.tif 000014
2021535655.tif 000015